(57)【要約】  ワイヤレス通信のための方法、装置、およびコンピュータプログラム製品が提供される。装置は、ＬＴＥサービングセルおよび非ＬＴＥサービングセルを選択する。それらに（thereto）対応する測定オブジェクトは、ブロードキャストされたシステム情報および前のサービングセルに関する履歴情報の検討に基づいて識別される。装置は、他の無線アクセス技術（ＲＡＴ）（ＷＣＤＭＡ、ＣＤＭＡ、ＧＳＭ）からの測定オブジェクトを識別する。残りの測定オブジェクトは、測定識別子に基づいて識別されうる。装置は、選択されたサービングセルおよび識別された測定オブジェクトに基づいて、ワイヤレス測定を行う。結果として生じる(resulting)測定値は、チャネル条件を決定する際の使用のためにネットワークに送信される。【選択図】図１１
2018507647.tif 000002
【特許請求の範囲】
【請求項１】
ワイヤレス通信の方法であって、
少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
備える、方法。
【請求項２】
前記選択された少なくとも１つのワイヤレスサービングおよび非サービングセルに関連付けられたチャネル条件を決定する際の使用のために、ネットワーク要素に前記少なくとも１つの測定された値を送信することをさらに備える、請求項１に記載の方法。
【請求項３】
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでのユーザ機器（ＵＥ）によって行われる、
請求項１に記載の方法。
【請求項４】
前記履歴情報は、獲得データベースにおいてローカルに記憶される、請求項３に記載の方法。
【請求項５】
前記少なくとも１つのワイヤレスサービングセルを前記選択することは、キャリアアグリゲーション（ＣＡ）が有効にされるかどうかを決定することを備える、請求項３に記載の方法。
【請求項６】
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別すること、をさらに備え、
ここにおいて、前記ワイヤレス測定を前記行うことは、前記少なくとも１つの測定オブジェクトにさらに基づく、
請求項３に記載の方法。
【請求項７】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、請求項３に記載の方法。
【請求項８】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、請求項６に記載の方法。
【請求項９】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項３に記載の方法。
【請求項１０】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項６に記載の方法。
【請求項１１】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項７に記載の方法。
【請求項１２】
前記ブロードキャストされたシステム情報は、システム情報ブロック５（ＳＩＢ５）からのデータを備え、前記履歴情報は、前記ＵＥによって維持される前のサービングセルのキャッシュを備える、請求項３に記載の方法。
【請求項１３】
前記少なくとも１つの測定オブジェクトは、システム情報ブロック６（ＳＩＢ６）または前記ＵＥによって維持される前のサービングセルのキャッシュのうちの少なくとも１つからのデータに対応する広帯域符号分割多元接続（ＷＣＤＭＡ）測定オブジェクトを備える、請求項６に記載の方法。
【請求項１４】
前記少なくとも１つの測定オブジェクトは、１から３２までの絶対無線周波数チャネル番号（ＡＲＦＣＮ）カウントから識別された複数のＧＳＭ測定オブジェクトを備える、請求項６に記載の方法。
【請求項１５】
前記少なくとも１つの測定オブジェクトは、システム情報ブロック８（ＳＩＢ８）または前記ＵＥによって維持される前のサービングセルのキャッシュのうちの少なくとも１つからのデータに対応するＣＤＭＡ測定オブジェクトを備える、請求項６に記載の方法。
【請求項１６】
前記少なくとも１つのワイヤレスサービングセルは、プライマリセルまたはセカンダリセルのうちの少なくとも１つを備える、請求項３に記載の方法。
【請求項１７】
前記少なくとも１つのワイヤレス非サービングセルは、イントラ周波数ネイバーまたはインター周波数ネイバーのうちの少なくとも１つを備える、請求項１に記載の方法。
【請求項１８】
前記１つまたは複数の候補非ＬＴＥセルは、ＷＣＤＭＡネイバー、ＧＳＭネイバー、またはＣＤＭＡネイバーのうちの少なくとも１つを備える、請求項６に記載の方法。
【請求項１９】
前記測定オブジェクト識別子に対応する前記少なくとも１つの測定オブジェクトの各々は、前記複数の測定オブジェクトの合計カウントが所定の数に達するまで識別される、請求項９に記載の方法。
【請求項２０】
ワイヤレス通信のための装置であって、
メモリと、
前記メモリに結合された少なくとも１つのプロセッサとを備え、前記少なくとも１つのプロセッサは、
少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
を行うように構成される、装置。
【請求項２１】
前記プロセッサは、
前記選択された少なくとも１つのワイヤレスサービングおよび非サービングセルに関連付けられたチャネル条件を決定する際の使用のために、ネットワーク要素に前記少なくとも１つの測定された値を送信するようにさらに構成される、請求項２０に記載の装置。
【請求項２２】
前記ワイヤレスサービングセルは、ロングタームエボリューション（ＬＴＥ）セルを備え、前記装置は、無線リソース制御（ＲＲＣ）接続モードで構成されている、請求項２０に記載の装置。
【請求項２３】
前記履歴情報は、獲得データベースにおいてローカルに記憶される、請求項２２に記載の装置。
【請求項２４】
前記少なくとも１つのワイヤレスサービングセルを選択することは、キャリアアグリゲーション（ＣＡ）が有効にされるかどうかを決定することを備える、請求項２２に記載の装置。
【請求項２５】
前記少なくとも１つのプロセッサは、
前記装置が１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するようにさらに構成され、
ここにおいて、前記ワイヤレス測定を前記行うことは、前記少なくとも１つの測定オブジェクトにさらに基づく、
請求項２２に記載の装置。
【請求項２６】
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
請求項２２に記載の装置。
【請求項２７】
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
請求項２５に記載の装置。
【請求項２８】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２２に記載の装置。
【請求項２９】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２５に記載の装置。
【請求項３０】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２７に記載の装置。
【請求項３１】
前記ブロードキャストされたシステム情報は、システム情報ブロック５（ＳＩＢ５）からのデータを備え、前記履歴情報は、前のサービングセルのローカルキャッシュを備える、請求項２２に記載の装置。
【請求項３２】
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、請求項２５に記載の装置。
【請求項３３】
前記少なくとも１つの測定オブジェクトは、１から３２までの絶対無線周波数チャネル番号（ＡＲＦＣＮ）カウントから識別された複数のＧＳＭ測定オブジェクトを備える、請求項２５に記載の装置。
【請求項３４】
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、請求項２５に記載の装置。
【請求項３５】
前記少なくとも１つのワイヤレスサービングセルは、プライマリセルまたはセカンダリセルのうちの少なくとも１つを備える、請求項２０に記載の装置。
【請求項３６】
前記少なくとも１つのワイヤレス非サービングセルは、イントラ周波数ネイバーまたはインター周波数ネイバーのうちの少なくとも１つを備える、請求項２０に記載の装置。
【請求項３７】
前記１つまたは複数の候補非ＬＴＥセルは、ＷＣＤＭＡネイバー、ＧＳＭネイバー、またはＣＤＭＡネイバーのうちの少なくとも１つを備える、請求項２５に記載の装置。
【請求項３８】
前記測定オブジェクト識別子に対応する前記少なくとも１つの測定オブジェクトの各々は、前記複数の測定オブジェクトの合計カウントが所定の数に達するまで識別される、請求項２８に記載の装置。
【請求項３９】
ワイヤレス通信のための装置であって、
無線リソース制御（ＲＲＣ）接続モードで、少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始するための手段と、前記データソースは、少なくとも１つの前のサービングセルに関する履歴情報、およびブロードキャストされたシステム情報を備える、
前記選択された少なくとも１つのワイヤレスサービングおよび非サービングセルに対応する複数の測定オブジェクトを識別するための手段と、
少なくとも１つの測定された値を作り出すために、前記選択された少なくとも１つのワイヤレスサービングおよび非サービングセル、ならびに前記識別された測定オブジェクトに基づいて、ワイヤレス測定を行うための手段と、
を備える、装置。
【請求項４０】
前記選択された少なくとも１つのワイヤレスサービングおよび非サービングセルに関連付けられたチャネル条件を決定する際の使用のために、基地局に前記少なくとも１つの測定された値を送信するための手段をさらに備える、請求項３９に記載の装置。
【請求項４１】
前記少なくとも１つのワイヤレスサービングセルは、ロングタームエボリューション（ＬＴＥ）セルを備える、請求項３９に記載の装置。
【請求項４２】
ワイヤレス通信のためのコンピュータ実行可能コードを記憶する非一時的コンピュータ可読媒体であって、
少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
のためのコードを備える、非一時的なコンピュータ可読媒体。
【請求項４３】
前記選択された少なくとも１つのワイヤレスサービングおよび非サービングセルに関連付けられたチャネル条件を決定する際の使用のために、ネットワーク要素に前記少なくとも１つの測定された値を送信するためのコードをさらに備える、請求項４２に記載のコンピュータ可読媒体。
【請求項４４】
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでのユーザ機器（ＵＥ）によって行われる、
請求項４２に記載のコンピュータ可読媒体。
【請求項４５】
前記少なくとも１つのワイヤレスサービングセルを前記選択することは、キャリアアグリゲーション（ＣＡ）が有効にされるかどうかを決定することを備える、請求項４４に記載のコンピュータ可読媒体。
【請求項４６】
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するためのコードをさらに備え、
ここにおいて、前記ワイヤレス測定を前記行うことは、前記少なくとも１つの測定オブジェクトにさらに基づく、
請求項４４に記載のコンピュータ可読媒体。
【請求項４７】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
のためのコードをさらに備える、請求項４４に記載のコンピュータ可読媒体。
【請求項４８】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
のためのコードをさらに備える、請求項４４に記載のコンピュータ可読媒体。
【請求項４９】
前記ブロードキャストされたシステム情報は、システム情報ブロック５（ＳＩＢ５）からのデータを備え、前記履歴情報は、前記ＵＥによって維持される前のサービングセルのキャッシュを備える、請求項４４に記載のコンピュータ可読媒体。
【請求項５０】
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、請求項４６に記載のコンピュータ可読媒体。
【請求項５１】
前記少なくとも１つの測定オブジェクトは、システム情報ブロック７（ＳＩＢ７）または前記ＵＥによって維持される前のサービングセルのキャッシュにおいて見つけられる、１から３２までの絶対無線周波数チャネル番号（ＡＲＦＣＮ）カウントから識別された複数のＧＳＭ測定オブジェクトを備える、請求項４６に記載のコンピュータ可読媒体。
【請求項５２】
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、請求項４６に記載のコンピュータ可読媒体。
【請求項５３】
前記１つまたは複数の候補非ＬＴＥセルは、ＷＣＤＭＡネイバー、ＧＳＭネイバー、またはＣＤＭＡネイバーのうちの少なくとも１つを備える、請求項４６に記載のコンピュータ可読媒体。
【請求項５４】
ユーザ機器であって、
処理システムを備え、前記処理システムは、
ブロードキャストされたシステム情報およびローカル履歴情報の検討に基づいて、少なくとも１つのＬＴＥ非サービングセルに対応する複数のＬＴＥ測定オブジェクトを識別し、
前記識別された測定オブジェクトに対応する測定を行い、
ネットワーク要素に、前記識別された測定オブジェクトに対応する測定結果を送信する、
ように構成される、ユーザ機器。
【請求項５５】
前記複数のＬＴＥ測定オブジェクトを前記識別することは、無線リソース制御（ＲＲＣ）接続モードで行われる、請求項５４に記載のユーザ機器。
【請求項５６】
前記ブロードキャストされたシステム情報は、システム情報ブロック（ＳＩＢ）における情報を備える、請求項５４に記載のユーザ機器。
【請求項５７】
前記少なくとも１つのＬＴＥ非サービングセルに対応する前記測定オブジェクトのうちの少なくとも１つは、前記ローカル履歴情報に基づいて識別される、請求項５４に記載のユーザ機器。
【請求項５８】
前記処理システムは、少なくとも１つの非ＬＴＥセルに対応する１つまたは複数の測定オブジェクトを識別するようにさらに構成される、請求項５４に記載のユーザ機器。
【請求項５９】
前記少なくとも１つの非ＬＴＥセルに対応する前記１つまたは複数の測定オブジェクトは、前記ブロードキャストされたシステム情報に基づいて識別される、請求項５８に記載のユーザ機器。
【発明の詳細な説明】
【関連出願への相互参照】
【０００１】
[0001]本願は、２０１５年３月２日に出願された「FREQUENCY PRUNING ENHANCEMENT FOR WIRELESS MEASUREMENTS」と題する米国仮出願番号第６２／１２７，２５８号、および２０１６年３月１日に出願された「FREQUENCY PRUNING ENHANCEMENT FOR WIRELESS MEASUREMENTS」と題する米国特許出願第１５／０５８，０４９号の利益を主張し、これらは、全体として本明細書に参照によって明示的に組み込まれる。
【技術分野】
【０００２】
[0002]本開示は、概して通信システムに関し、より具体的には、ワイヤレス通信において品質を改善するための技法に関する。
【背景技術】
【０００３】
[0003]ワイヤレス通信システムは、電話通信、ビデオ、データ、メッセージング、およびブロードキャストのような様々な電気通信サービスを提供するために、広範に展開される。典型的なワイヤレス通信システムは、利用可能なシステムリソース（例えば、帯域幅、送信電力）を共有することによって、複数のユーザとの通信をサポートする能力を有する多元接続技術を用いうる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが、市区村町レベル、国レベル、地域レベル、さらにはグローバルレベルで通信することを可能にする共通プロトコルを提供するために、様々な電気通信規格において採用されてきた。例となる電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格に対する強化型(enhancement)のセットである。ＬＴＥは、スペクトル効率を改善すること、コストを下げること、サービスを改善すること、新たなスペクトルを利用する(make use of)こと、ならびにダウンリンク（ＤＬ）上でＯＦＤＭＡを、アップリンク（ＵＬ）上でＳＣ−ＦＤＭＡを、および多入力多出力（ＭＩＭＯ）アンテナ技術を使用して他のオープン規格とより良好に統合することによって、モバイルブロードバンドインターネットアクセスをより良好にサポートするように設計される。しかしながら、モバイルブロードバンドアクセスに対する需要が増大し続けるにつれて、ＬＴＥ技術におけるさらなる改善の必要性が存在する。好ましくは、これらの改善は、他の多元接続技術およびこれらの技術を用いる電気通信規格に適用可能であるべきである。
【０００５】
[0005]予想されるセルスケジューリング、再選択、ハンドオーバ、または他のそのようなイベントに関係して、ＬＴＥにおける無線リソース制御（ＲＲＣ）接続モードでのユーザ機器は、チャネル条件が評価されうるように、ネットワークにフィードバックを提供するために、識別された測定オブジェクトを使用して異なる周波数に対して測定を行いうる。通例、ネットワークは、ＵＥが測定オブジェクトを識別するための基礎として、ＵＥに候補周波数の専用のリストを提供する。候補周波数の数が、ＵＥが１度に測定する能力を有するしきい値を超える場合、ＵＥは、測定オブジェクト識別子のようなより有用性の低い(less useful)情報に基づいて、測定オブジェクトを識別しうる。その結果は、他の方法ではセル再選択のための最善の（optimal）候補でありうる周波数が、しばしば考慮されていないままにされることである。
【発明の概要】
【０００６】
[0006]本開示の態様では、装置、ユーザ機器、方法、コンピュータ可読媒体が提供される。
【０００７】
[0007]本開示の一態様では、ワイヤレス通信のための方法は、少なくとも１つのワイヤレスサービングセルを選択すること、およびデータソースに基づいて少なくとも１つのワイヤレス非サービングセルを選択することを含む、あり得る（possible）セル再構成に関する１つまたは複数の候補周波数のプルーニング（pruning）を開始することと、そのデータソースは、ブロードキャストされたシステム情報、および少なくとも１つの前のサービングセルに関する履歴情報を含み、選択された少なくとも１つのワイヤレスサービングおよび非サービングセルに対応する複数の測定オブジェクトを識別することと、少なくとも１つの測定された値を作り出すために、選択された少なくとも１つのワイヤレスサービングおよび非サービングセル、ならびに識別された測定オブジェクトに基づいて、ワイヤレス測定を行うことと、を含む。
【０００８】
[0008]本開示の別の態様では、装置は、メモリと、メモリに結合された少なくとも１つのプロセッサとを含み、その少なくとも１つのプロセッサは、少なくとも１つのワイヤレスサービングセルを選択すること、およびデータソースに基づいて少なくとも１つのワイヤレス非サービングセルを選択することを含む、あり得るセル再構成に関する１つまたは複数の候補周波数のプルーニングを開始することと、そのデータソースは、ブロードキャストされたシステム情報、および少なくとも１つの前のサービングセルに関する履歴情報を含み、選択された少なくとも１つのワイヤレスサービングおよび非サービングセルに対応する複数の測定オブジェクトを識別することと、少なくとも１つの測定された値を作り出すために、選択された少なくとも１つのワイヤレスサービングおよび非サービングセル、ならびに識別された測定オブジェクトに基づいて、ワイヤレス測定を行うことと、を行うように構成される
【０００９】
[0009]本開示の別の態様では、装置は、無線リソース制御（ＲＲＣ）接続モードで、少なくとも１つのワイヤレスサービングセルを選択すること、およびデータソースに基づいて少なくとも１つのワイヤレス非サービングセルを選択することを含む、あり得るセル再構成に関する１つまたは複数の候補周波数のプルーニングを開始するための手段と、そのデータソースは、少なくとも１つの前のサービングセルに関する履歴情報およびブロードキャストされたシステム情報を含み、選択された少なくとも１つのワイヤレスサービングおよび非サービングセルに対応する複数の測定オブジェクトを識別するための手段と、少なくとも１つの測定された値を作り出すために、選択された少なくとも１つのワイヤレスサービングおよび非サービングセル、ならびに識別された測定オブジェクトに基づいて、ワイヤレス測定を行うための手段と、を含む。
【００１０】
[0010]本開示の別の態様では、ワイヤレス通信のためのコンピュータ実行可能コードを記憶する非一時的なコンピュータ可読媒体は、少なくとも１つのワイヤレスサービングセルを選択すること、およびデータソースに基づいて少なくとも１つのワイヤレス非サービングセルを選択することを含む、あり得るセル再構成に関する１つまたは複数の候補周波数のプルーニングを開始することと、そのデータソースは、ブロードキャストされたシステム情報、および少なくとも１つの前のサービングセルに関する履歴情報を含み、選択された少なくとも１つのワイヤレスサービングおよび非サービングセルに対応する複数の測定オブジェクトを識別することと、少なくとも１つの測定された値を作り出すために、選択された少なくとも１つのワイヤレスサービングおよび非サービングセル、ならびに識別された測定オブジェクトに基づいて、ワイヤレス測定を行うことと、のためのコードを含む。
【００１１】
[0011]装置および方法の他の態様が、以下に続く詳細な説明から当業者には容易に明らかになるだろうことは理解され、ここにおいて、装置および方法の様々な態様が、例示として図示および説明される。了解されることになるように、これらの態様は、他の、および異なる形式でインプリメントされ得、そのいくつかの詳細は、様々な他の点において変更ができる（capable of modification）。したがって、図面および詳細な説明は、制限的ではなく、本質的に例示的と見なされることとする。
【図面の簡単な説明】
【００１２】
【図１】ネットワークアーキテクチャの例を例示する図である。
【図２】アクセスネットワークの例を例示する図である。
【図３】ＬＴＥにおけるＤＬフレーム構造の例を例示する図である。
【図４】ＬＴＥにおけるＵＬフレーム構造の例を例示する図である。
【図５】ユーザおよび制御プレーンのための無線プロトコルアーキテクチャの例を例示する図である。
【図６】アクセスネットワークにおける発展型ノードＢおよびユーザ機器の例を例示する図である。
【図７Ａ】マルチキャストブロードキャスト単一周波数ネットワークにおける発展型マルチメディアブロードキャストマルチキャストサービスチャネル構成の例を例示する図である。
【図７Ｂ】マルチキャストチャネルスケジューリング情報媒体アクセス制御の制御要素のフォーマットを例示する図である。
【図８Ａ】連続キャリアアグリゲーションの例を例示する図である。
【図８Ｂ】非連続キャリアアグリゲーションの例を例示する図である。
【図９】測定構成メッセージの例示である。
【図１０】ワイヤレス通信の方法のフローチャートである。
【図１１】ワイヤレス通信の方法のフローチャートである。
【図１２】実例的な装置における異なるモジュール／手段／コンポーネント間のデータフローを例示する概念上のデータフロー図である。
【図１３】処理システムを用いる装置のためのハードウェアインプリメンテーションの例を例示する図である。
【詳細な説明】
【００１３】
[0027]添付の図面に関係して以下で明記される(set forth)詳細な説明は、様々な構成の説明として意図され、本明細書で説明される概念が実施されうる構成を表すようには意図されていない。詳細な説明は、様々な概念の完全な理解を提供する目的のために、特定の詳細を含む。しかしながら、これらの概念がこれらの特定の詳細なしに実施されうることは、当業者には明らかだろう。いくつかの事例において、周知の構造およびコンポーネントが、そのような概念を曖昧にすることを避けるためにブロック図形式で図示される。
【００１４】
[0028]電気通信システムのいくつかの態様は、様々な装置および方法に関連して(with reference to)次に提示されるだろう。これらの装置および方法は、様々なブロック、モジュール、コンポーネント、回路、ステップ、プロセス、アルゴリズム、等（集合的には「要素」と称される）によって、付随の図面において例示され、以下に続く詳細な説明において説明されるだろう。これらの要素は、電子ハードウェア、コンピュータソフトウェア、またはそれらの任意の組合せを使用してインプリメントされうる。そのような要素がハードウェアとしてインプリメントされるか、またはソフトウェアとしてインプリメントされるかは、特定のアプリケーションおよびシステム全体に課せられる設計制約に依存する。
【００１５】
[0029]例として、要素、または要素の任意の一部分、または要素の任意の組合せは、１つまたは複数のプロセッサを含む「処理システム」でインプリメントされうる。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、および本開示全体を通じて説明される様々な機能性を行うように構成された他の適したハードウェアを含む。処理システムにおける１つまたは複数のプロセッサは、ソフトウェアを実行しうる。ソフトウェアは、ソフトウェア、ファームウェア、ミドルウェア、マイクロコード、ハードウェア記述言語、または他の方法（otherwise）のいずれで称されるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されることとなる。
【００１６】
[0030]したがって、１つまたは複数の実例的な実施形態では、説明される機能は、ハードウェア、ソフトウェア、ファームウェア、またはそれらの任意の組合せにおいてインプリメントされうる。ソフトウェアにおいてインプリメントされる場合、機能は、コンピュータ可読媒体上で、１つまたは複数の命令またはコードとして記憶または符号化されうる。コンピュータ可読媒体は、コンピュータ記憶媒体を含む。記憶媒体は、コンピュータによってアクセスされうる任意の利用可能な媒体でありうる。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気記憶デバイス、前述のタイプのコンピュータ可読媒体の組合せ、あるいはコンピュータによってアクセスされうる命令またはデータ構造の形式でコンピュータ実行可能コードを記憶するために使用されうる任意の他の媒体を備えうる。
【００１７】
[0031]図１は、ＬＴＥネットワークアーキテクチャ１００を例示する図である。ＬＴＥネットワークアーキテクチャ１００は、発展型パケットシステム（ＥＰＳ）１００と称されうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、およびオペレータのインターネットプロトコル（ＩＰ）サービス１２２を含みうる。ＥＰＳは、他のアクセスネットワークと相互接続しうるが、簡潔さのために、それらのエンティティ／インタフェースは図示されない。図示されるように、ＥＰＳは、パケット交換サービスを提供するけれども、当業者が容易に理解することになるように、本開示全体を通じて提示される様々な概念が、回路交換サービスを提供するネットワークに拡張されうる。
【００１８】
[0032]Ｅ−ＵＴＲＡＮは、発展型ノードＢ（ｅＮＢ）１０６および他のｅＮＢ１０８を含み、マルチキャスト協調エンティティ（ＭＣＥ）１２８を含みうる。ｅＮＢ１０６は、ＵＥ１０２に向かってユーザおよび制御プレーンプロトコル終端（terminations）を提供する。ｅＮＢ１０６は、バックホール（例えば、Ｘ２インタフェース）を介して他のｅＮＢ１０８に接続されうる。ＭＣＥ１２８は、発展型マルチメディアブロードキャストマルチキャストサービス（ＭＢＭＳ）（ｅＭＢＭＳ）のための時間／周波数無線リソースを割り振り、ｅＭＢＭＳのための無線構成（例えば、変調およびコーディングスキーム（ＭＣＳ））を決定する。ＭＣＥ１２８は、ｅＮＢ１０６の一部または別個のエンティティでありうる。ｅＮＢ１０６はまた、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の適した専門用語と称されうる。ｅＮＢ１０６は、ＵＥ１０２にＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機、タブレット、または任意の他の同様に機能するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語でも称されうる。
【００１９】
[0033]ｅＮＢ１０６は、ＥＰＣ１１０に接続される。ＥＰＣ１１０は、モビリティ管理エンティティ（ＭＭＥ）１１２、ホーム加入者サーバ（ＨＳＳ）１２０、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含みうる。ＭＭＥ１１２は、ＵＥ１０２とＥＰＣ１１０との間のシグナリングを処理する制御ノードである。概して、ＭＭＥ１１２は、ベアラおよび接続管理を提供する。すべてのユーザＩＰパケットは、それ自身がＰＤＮゲートウェイ１１８に接続されるサービングゲートウェイ１１６を通じて転送される。ＰＤＮゲートウェイ１１８は、ＵＥ  ＩＰアドレス割り振りのみならず、他の機能も提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含みうる。ＢＭ−ＳＣ１２６は、ＭＢＭＳユーザサービスプロビジョニングおよび配信のための機能を提供しうる。ＢＭ−ＳＣ１２６は、コンテンツプロバイダＭＢＭＳ送信のためのエントリポイントとしての役割をし得、ＰＬＭＮ内のＭＢＭＳベアラサービスを認可および開始するために使用され得、ＭＢＭＳ送信をスケジューリングおよび配信するために使用されうる。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを分配するために使用され得、セッション管理（スタート／停止）を、およびｅＭＢＭＳ関連課金情報（charging information）を収集することを担いうる。
【００２０】
[0034]図２は、ＬＴＥネットワークアーキテクチャにおけるアクセスネットワーク２００の例を例示する図である。この例では、アクセスネットワーク２００は、ある数のセルラ領域（セル）２０２に分割される。１つまたは複数のより低い電力クラスのｅＮＢ２０８は、セル２０２のうちの１つまたは複数と重複するセルラ領域２１０を有しうる。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）でありうる。マクロｅＮＢ２０４は各々、それぞれのセル２０２に割り当てられ、セル２０２におけるすべてのＵＥ２０６にＥＰＣ１１０へのアクセスポイントを提供するよう構成される。アクセスネットワーク２００のこの例では集中型コントローラ（centralized controller）は存在しないが、集中型コントローラは、代わりの構成では使用されうる。ｅＮＢｓ２０４は、無線ベアラ制御、アドミッション制御、モビリティ制御、スケジューリング、セキュリティ、およびサービングゲートウェイ１１６への接続性を含む、すべての無線関連機能を担う。ｅＮＢは、１つの、または複数（例えば、３つ）のセル（セクタとも称される）をサポートしうる。「セル」という用語は、ｅＮＢの最も小さいカバレッジエリアおよび／または特定のカバレッジエリアにサービス提供するｅＮＢサブシステムを指しうる。さらに、「ｅＮＢ」、「基地局」、および「セル」という用語は、本明細書では入れ替え可能に使用されうる。
【００２１】
[0035]アクセスネットワーク２００によって用いられる変調および多元接続スキームは、展開されている特定の電気通信規格に依存して異なりうる。ＬＴＥアプリケーションでは、周波数分割複信（ＦＤＤ）と時分割複信（ＴＤＤ）との両方をサポートするために、ＯＦＤＭがＤＬ上で使用され、ＳＣ−ＦＤＭＡがＵＬ上で使用される。当業者は以下に続くべき詳細な説明から容易に理解することになるように、本明細書で提示される様々な概念は、ＬＴＥアプリケーションによく適している。しかしながら、これらの概念は、他の変調および多元接続技法を用いる他の電気通信規格に容易に拡張されうる。例として、これらの概念は、エボリューションデータオプティマイズド（ＥＶ−ＤＯ）またはウルトラモバイルブロードバンド（ＵＭＢ）に拡張されうる。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）にも拡張されうる。ＵＴＲＡ、Ｅ−ＵＴＲＡ、ＵＭＴＳ、ＬＴＥ、およびＧＳＭは、３ＧＰＰ団体による文書において説明されている。ＣＤＭＡ２０００およびＵＭＢは、３ＧＰＰ２団体による文書において説明されている。用いられる実際のワイヤレス通信規格および多元接続技術は、特定のアプリケーションおよびシステムに課せられる全体的な設計制約に依存するだろう。
【００２２】
[0036]ｅＮＢ２０４は、ＭＩＭＯ技術をサポートする複数のアンテナを有しうる。ＭＩＭＯ技術の使用は、ｅＮＢ２０４が、空間多重化、ビームフォーミング、および送信ダイバーシチをサポートするために空間ドメインを活用することを可能にする。空間多重化は、同じ周波数上で同時にデータの異なるストリームを送信するために使用されうる。データストリームは、データレートを増大させるために単一のＵＥ２０６に、または、全体的なシステム容量を増大させるために複数のＵＥ２０６に、送信されうる。これは、各データストリームを空間的にプリコーディングし（すなわち、振幅および位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャとともにＵＥ（複数を含む）２０６に到達し、それは、ＵＥ(複数を含む）２０６の各々が、そのＵＥ２０６に宛てられた１つまたは複数のデータストリームを復元することを可能にする。ＵＬ上では、各ＵＥ２０６は、空間的にプリコーディングされたデータストリームを送信し、それは、ｅＮＢ２０４が、各空間的にプリコーディングされたデータストリームのソースを識別することを可能にする。
【００２３】
[0037]空間多重化は、概してチャネル条件が良好であるときに使用される。チャネル条件がさほど好ましくない（less favorable）とき、１つまたは複数の方向に送信エネルギーを集中させるために、ビームフォーミングが使用されうる。これは、複数のアンテナを通じた送信のためにデータを空間的にプリコーディングすることによって達成されうる。セルのエッジ（edges）で良好なカバレッジを達成するために、単一ストリームビームフォーミング送信が、送信ダイバーシチと組み合わせて使用されうる。
【００２４】
[0038]以下に続く詳細な説明において、アクセスネットワークの様々な態様が、ＤＬ上でＯＦＤＭをサポートするＭＩＭＯシステムに関連して説明されるだろう。ＯＦＤＭは、ＯＦＤＭシンボル内のある数のサブキャリアにわたってデータを変調する拡散スペクトル技法である。サブキャリアは、精確な周波数で間隔が空けられる。間隔を空けることは、受信機が、サブキャリアからデータを復元することを可能にする「直交性」を提供する。時間ドメインでは、インターＯＦＤＭシンボル干渉に対抗する（combat）ために、各ＯＦＤＭシンボルにガードインターバル（例えば、サイクリックプリフィックス）が追加されうる。ＵＬは、高いピーク対平均電力比（ＰＡＰＲ）を補償するために、ＤＦＴ拡散ＯＦＤＭ信号の形式でＳＣ−ＦＤＭＡを使用しうる。
【００２５】
[0039]図３は、ＬＴＥにおけるＤＬフレーム構造の例を例示する図３００である。フレーム（１０ｍｓ）は、１０個の等しいサイズのサブフレームに分割されうる。各サブフレームは、２つの連続的なタイムスロットを含みうる。リソースグリッドは、２つのタイムスロットを表すために使用され得、各タイムスロットは、リソースブロックを含む。リソースグリッドは、複数のリソース要素に分割される。ＬＴＥにおいて、通常のサイクリックプリフィックスに関しては、リソースブロックが、周波数ドメインにおいて１２個の連続的なサブキャリアを、および時間ドメインにおいて７つの連続的なＯＦＤＭシンボルを包含し、合計で８４個のリソース要素となる。拡張されたサイクリックプリフィックスに関しては、リソースブロックが、周波数ドメインにおいて１２個の連続的なサブキャリアを、および時間ドメインにおいて６つの連続的なＯＦＤＭシンボルを包含し、合計で７２個のリソース要素となる。Ｒ３０２、３０４として示されるリソース要素のうちのいくつかは、ＤＬ基準信号（ＤＬ−ＲＳ）を含む。ＤＬ−ＲＳは、セル固有ＲＳ（ＣＲＳ）（時に共通ＲＳとも呼ばれる）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上で送信される。各リソース要素によって搬送されるビットの数は、変調スキームに依存する。それゆえに、ＵＥが受信するリソースブロックがより多いほど、および変調スキームがより高度（higher）であるほど、ＵＥのためのデータレートはより高くなる。
【００２６】
[0040]図４は、ＬＴＥにおけるＵＬフレーム構造の例を例示する図４００である。ＵＬのための利用可能なリソースブロックは、データセクションおよび制御セクションに区分されうる。制御セクションは、システム帯域幅の２つのエッジ（two edges）で形成され得、構成可能なサイズを有しうる。制御セクションにおけるリソースブロックは、制御情報の送信のためにＵＥに割り当てられうる。データセクションは、制御セクションにおいて含まれないすべてのリソースブロックを含みうる。ＵＬフレーム構造は、隣接するサブキャリアを含むデータセクションをもたらし(results in)、それは、単一のＵＥが、データセクションにおける隣接するサブキャリアのすべてを割り当てられることを可能にしうる。
【００２７】
[0041]ＵＥは、ｅＮＢに制御情報を送信するために制御セクションにおけるリソースブロック４１０ａ、４１０ｂを割り当てられうる。ＵＥはまた、ｅＮＢにデータを送信するためにデータセクションにおけるリソースブロック４２０ａ、４２０ｂを割り当てられうる。ＵＥは、制御セクションにおける割り当てられたリソースブロック上の物理ＵＬ制御チャネル（ＰＵＣＣＨ）において制御情報を送信しうる。ＵＥは、データセクションにおける割り当てられたリソースブロック上の物理ＵＬ共有チャネル（ＰＵＳＣＨ）において、データ、またはデータと制御情報との両方を送信しうる。ＵＬ送信は、サブフレームの両方のスロットにまたがり（span）得、周波数間で（across frequency）ホッピングしうる。
【００２８】
[0042]リソースブロックのセットは、物理ランダムアクセスチャネル（ＰＲＡＣＨ）４３０において、初期システムアクセスを行い、ＵＬ同期を達成するために使用されうる。ＰＲＡＣＨ４３０は、ランダムシーケンスを搬送し、いずれのＵＬデータ／シグナリングも搬送することができない。各ランダムアクセスプリアンブルは、６つの連続的なリソースブロックに対応する帯域幅を占有する。スタート周波数はネットワークによって指定される。つまり、ランダムアクセスプリアンブルの送信は、ある特定の時間および周波数リソースに制限される。ＰＲＡＣＨに関しては、周波数ホッピングは存在しない。ＰＲＡＣＨの試み（PRACH attempt）は、単一のサブフレーム（１ｍｓ）で、またはわずかしかない隣接するサブフレームのシーケンスにおいて搬送され、ＵＥは、フレーム（１０ｍｓ）毎に単一のＰＲＡＣＨの試みを行いうる。
【００２９】
[0043]図５は、ＬＴＥにおけるユーザおよび制御プレーンのための無線プロトコルアーキテクチャの例を例示する図５００である。ＵＥおよびｅＮＢのための無線プロトコルアーキテクチャは、３つのレイヤ：レイヤ１、レイヤ２、およびレイヤ３、で図示される。レイヤ１（Ｌ１レイヤ）は最下位のレイヤであり、様々な物理レイヤ信号処理機能をインプリメントする。Ｌ１レイヤは、本明細書で物理レイヤ５０６と称されるだろう。レイヤ２（Ｌ２レイヤ）５０８は物理レイヤ５０６より上部にあり、物理レイヤ５０６上でＵＥとｅＮＢとの間のリンクを担う。
【００３０】
[0044]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側においてｅＮＢで終端される。図示されていないけれども、ＵＥは、ネットワーク側においてＰＤＮゲートウェイ１１８で終端されるネットワークレイヤ（例えば、ＩＰレイヤ）、および接続の他端（the other end）（例えば、遠端ＵＥ、サーバ、等）で終端されるアプリケーションレイヤを含む、Ｌ２レイヤ５０８より上部のいくつかの上位レイヤを有しうる。
【００３１】
[0045]ＰＤＣＰサブレイヤ５１４は、異なる無線ベアラと論理チャネルとの間での多重化を提供する。ＰＤＣＰサブレイヤ５１４はまた、無線送信オーバヘッドを低減させるための上位レイヤデータパケットに関するヘッダ圧縮、データパケットを暗号化することによるセキュリティ、およびｅＮＢ間のＵＥのためのハンドオーバサポートを提供する。ＲＬＣサブレイヤ５１２は、上位レイヤデータパケットのセグメンテーションおよびリアセンブリ、損失データパケットの再送信、ならびにハイブリッド自動再送要求（ＨＡＲＱ）に起因した順序が乱れた受信(out-of-order reception)を補償するためのデータパケットの並べ替えを提供する。ＭＡＣサブレイヤ５１０は、論理チャネルとトランスポートチャネルとの間での多重化を提供する。ＭＡＣサブレイヤ５１０はまた、ＵＥ間で１つのセルにおける様々な無線リソース（例えば、リソースブロック）を割り振ることを担う。ＭＡＣサブレイヤ５１０はまた、ＨＡＲＱオペレーションを担う。
【００３２】
[0046]制御プレーンにおいて、ＵＥおよびｅＮＢのための無線プロトコルアーキテクチャは、制御プレーンのためのヘッダ圧縮機能が存在しないことを除き、物理レイヤ５０６およびＬ２レイヤ５０８に関して実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（例えば、無線ベアラ）を取得すること、およびｅＮＢとＵＥとの間でＲＲＣシグナリングを使用してより低いレイヤを構成することを担う。
【００３３】
[0047]図６は、アクセスネットワークにおいてＵＥ６５０と通信状態にあるｅＮＢ６１０のブロック図である。ＤＬにおいて、コアネットワークからの上位レイヤパケットが、コントローラ／プロセッサ６７５に提供される。コントローラ／プロセッサ６７５は、Ｌ２レイヤの機能性をインプリメントする。ＤＬにおいて、コントローラ／プロセッサ６７５は、様々な優先度メトリックに基づいた、ＵＥ６５０への無線リソース割り振り、論理チャネルとトランスポートチャネルとの間での多重化、パケットセグメンテーションおよび並べ替え、暗号化、ならびにヘッダ圧縮を提供する。コントローラ／プロセッサ６７５はまた、ＨＡＲＱオペレーション、損失パケットの再送信、およびＵＥ６５０へのシグナリングを担う。
【００３４】
[0048]送信（ＴＸ）プロセッサ６１６は、Ｌ１レイヤ（すなわち、物理レイヤ）のための様々な信号処理機能をインプリメントする。信号処理機能は、ＵＥ６５０での前方誤り訂正（ＦＥＣ）を容易にするためにコーディングおよびインタリーブすること、ならびに様々な変調スキーム（例えば、２相位相シフトキーイング（ＢＰＳＫ）、４相位相シフトキーイング（ＱＰＳＫ）、Ｍ相位相シフトキーイング（Ｍ−ＰＳＫ）、Ｍ値直交振幅変調（Ｍ−ＱＡＭ））に基づいて信号コンステレーションにマッピングすること、を含む。コーディングおよび変調されたシンボルはその後、並列ストリームに分けられる。各ストリームはその後、ＯＦＤＭサブキャリアにマッピングされ、時間および／または周波数ドメインにおいて基準信号（例えば、パイロット）で多重化され、その後、時間ドメインＯＦＤＭシンボルストリームを搬送する物理チャネルを作り出すために逆高速フーリエ変換（ＩＦＦＴ）を使用して互いに組み合わされる。ＯＦＤＭストリームは、複数の空間ストリームを作り出すために空間的にプリコーディングされる。チャネル推定器６７４からのチャネル推定値は、コーディングおよび変調スキームを決定するためのみならず、空間処理のためにも使用されうる。チャネル推定値は、ＵＥ６５０によって送信された基準信号および／またはチャネル条件フィードバックから導出されうる。各空間ストリームはその後、別個の送信機６１８ＴＸを介して異なるアンテナ６２０に提供されうる。各送信機６１８ＴＸは、送信のためにそれぞれの空間ストリームでＲＦキャリアを変調しうる。
【００３５】
[0049]ＵＥ６５０で、各受信機６５４ＲＸは、そのそれぞれのアンテナ６５２を通じて信号を受信する。各受信機６５４ＲＸは、ＲＦキャリア上に変調された情報を復元し、その情報を受信（ＲＸ）プロセッサ６５６に提供する。ＲＸプロセッサ６５６は、Ｌ１レイヤの様々な信号処理機能をインプリメントする。ＲＸプロセッサ６５６は、ＵＥ６５０に宛てられた任意の空間ストリームを復元するために、情報に対して空間処理を行いうる。複数の空間ストリームがＵＥ６５０に宛てられる場合、それらは、ＲＸプロセッサ６５６によって組み合わされて、単一のＯＦＤＭシンボルストリームになりうる。ＲＸプロセッサ６５６はその後、高速フーリエ変換（ＦＦＴ）を使用して、ＯＦＤＭシンボルストリームを時間ドメインから周波数ドメインにコンバートする。周波数ドメイン信号は、ＯＦＤＭ信号のサブキャリア毎に別個のＯＦＤＭシンボルストリームを備える。各サブキャリア上のシンボル、および基準信号は、ｅＮＢ６１０によって送信された最も確実性のある(most likely)信号コンステレーションポイントを決定することによって復元および復調される。これらの軟判定は、チャネル推定器６５８によって計算されたチャネル推定値に基づきうる。軟判定はその後、物理チャネル上でｅＮＢ６１０によって元々送信されたデータおよび制御信号を復元するために、復号およびデインタリーブされる。データおよび制御信号はその後、コントローラ／プロセッサ６５９に提供される。
【００３６】
[0050]コントローラ／プロセッサ６５９は、Ｌ２レイヤをインプリメントする。コントローラ／プロセッサは、プログラムコードおよびデータを記憶するメモリ６６０に関連付けられうる。メモリ６６０は、コンピュータ可読媒体と称されうる。ＵＬにおいて、コントローラ／プロセッサ６５９は、コアネットワークからの上位レイヤパケットを復元するための、制御信号処理、ヘッダ圧縮解除（header decompression）、暗号解読、パケットのリアセンブリ、トランスポートチャネルと論理チャネルとの間での逆多重化（demultiplexing）を提供する。上位レイヤパケットはその後、Ｌ２レイヤより上部のすべてのプロトコルレイヤを表すデータシンク６６２に提供される。様々な制御信号もまた、Ｌ３処理のために、データシンク６６２に提供されうる。コントローラ／プロセッサ６５９はまた、ＨＡＲＱオペレーションをサポートするために、肯定応答（ＡＣＫ）および／または否定応答（ＮＡＣＫ）プロトコルを使用する誤り検出を担う。
【００３７】
[0051]ＵＬにおいて、データソース６６７は、コントローラ／プロセッサ６５９に上位レイヤパケットを提供するために使用される。データソース６６７は、Ｌ２レイヤより上部のすべてのプロトコルレイヤを表す。ｅＮＢ６１０によるＤＬ送信に関係して説明された機能性と同様に、コントローラ／プロセッサ６５９は、ｅＮＢ６１０による無線リソース割り振りに基づいた、論理チャネルとトランスポートチャネルとの間での多重化、パケットセグメンテーションおよび並べ替え、暗号化、およびヘッダ圧縮を提供することによって、ユーザプレーンおよび制御プレーンのためのＬ２レイヤをインプリメントする。コントローラ／プロセッサ６５９はまた、ＨＡＲＱオペレーション、損失パケットの再送信、およびｅＮＢ６１０へのシグナリングを担う。
【００３８】
[0052]ｅＮＢに６１０によって送信されたフィードバックまたは基準信号からチャネル推定器６５８によって導出されたチャネル推定値は、適切なコーディングおよび変調スキームを選択するために、および空間処理を容易にするために、ＴＸプロセッサ６６８によって使用されうる。ＴＸプロセッサ６６８によって生成される空間ストリームは、別個の送信機６５４ＴＸを介して異なるアンテナ６５２に提供されうる。各送信機６５４ＴＸは、送信のためにそれぞれの空間ストリームでＲＦキャリアを変調しうる。
【００３９】
[0053]ＵＬ送信は、ＵＥ６５０での受信機機能に関係して説明されたものと同様の仕方(manner)でｅＮＢ６１０で処理される。各受信機６１８ＲＸは、そのそれぞれのアンテナ６２０を通じて信号を受信する。各受信機６１８ＲＸは、ＲＦキャリア上に変調された情報を復元し、その情報をＲＸプロセッサ６７０に提供する。ＲＸプロセッサ６７０は、Ｌ１レイヤをインプリメントしうる。
【００４０】
[0054]コントローラ／プロセッサ６７５は、Ｌ２レイヤをインプリメントする。コントローラ／プロセッサ６７５は、プログラムコードおよびデータを記憶するメモリ６７６に関連付けられうる。メモリ６７６は、コンピュータ可読媒体と称されうる。ＵＬにおいて、コントローラ／プロセッサ６７５は、ＵＥ６５０からの上位レイヤパケットを復元するための、制御信号処理、ヘッダ圧縮解除、暗号解読、パケットのリアセンブリ、トランスポートチャネルと論理チャネルとの間での逆多重化、を提供する。コントローラ／プロセッサ６７５からの上位レイヤパケットは、コアネットワークに提供されうる。コントローラ／プロセッサ６７５はまた、ＨＡＲＱオペレーションをサポートするために、ＡＣＫおよび／またはＮＡＣＫプロトコルを使用する誤り検出を担う。
【００４１】
[0055]図７Ａは、ＭＢＳＦＮにおける発展型ＭＢＭＳ（ｅＭＢＭＳ）チャネル構成の例を例示する図７５０である。セル７５２’におけるｅＮＢ７５２は、第１のＭＢＳＦＮエリアを形成し得、セル７５４’におけるｅＮＢ７５４は、第２のＭＢＳＦＮエリアを形成しうる。ｅＮＢ７５２、７５４は各々、他のＭＢＳＦＮエリアに、例えば、合計８つのＭＢＳＦＮエリアまで、関連付けられうる。ＭＢＳＦＮエリア内のセルは、リザーブされたセルと設定されうる（designated）。リザーブされたセルは、マルチキャスト／ブロードキャストコンテンツを提供しないが、ＭＢＳＦＮエリアへの干渉を限定するために、セル７５２’、７５４’に時間同期され、ＭＢＳＦＮリソースに対して制限された電力を有しうる。ＭＢＳＦＮエリアにおける各ｅＮＢは、同じｅＭＢＭＳ制御情報およびデータを同期して送信する。各エリアは、ブロードキャスト、マルチキャスト、およびユニキャストサービスをサポートしうる。ユニキャストサービスは、特定のユーザを対象としたサービス、例えば、音声コール、である。マルチキャストサービスは、ユーザのグループによって受信されうるサービス、例えば、加入者ビデオサービス、である。ブロードキャストサービスは、すべてのユーザによって受信されうるサービス、例えば、ニュースブロードキャスト、である。図７Ａを参照すると、第１のＭＢＳＦＮエリアは、例えば、ＵＥ７７０に特定のニュースブロードキャストを提供することによって、第１のｅＭＢＭＳブロードキャストサービスをサポートしうる。第２のＭＢＳＦＮエリアは、例えば、ＵＥ７６０に異なるニュースブロードキャストを提供することによって、第２のｅＭＢＭＳブロードキャストサービスをサポートしうる。各ＭＢＳＦＮエリアは、１つまたは複数の物理マルチキャストチャネル（ＰＭＣＨ）（例えば、１５個のＰＭＣＨ）をサポートする。各ＰＭＣＨは、マルチキャストチャネル（ＭＣＨ）に対応する。各ＭＣＨは、複数（例えば、２９個）のマルチキャスト論理チャネルを多重化しうる。各ＭＢＳＦＮエリアは、１つのマルチキャスト制御チャネル（ＭＣＣＨ）を有しうる。このように、１つのＭＣＨは、１つのＭＣＣＨおよび複数のマルチキャストトラフィックチャネル（ＭＴＣＨ）を多重化し得、残りのＭＣＨは、複数のＭＴＣＨを多重化しうる。
【００４２】
[0056]ＵＥは、ｅＭＢＭＳサービスアクセスの利用可能性および対応するアクセス層構成を発見するために、ＬＴＥセルにキャンプオン(camp on)しうる。最初に、ＵＥは、システム情報ブロック（ＳＩＢ）１３（ＳＩＢ１３）を獲得しうる。続いて、ＳＩＢ１３に基づいて、ＵＥは、ＭＣＣＨ上でＭＢＳＦＮエリア構成メッセージを獲得しうる。続いて、ＭＢＳＦＮエリア構成メッセージに基づいて、ＵＥは、ＭＣＨスケジューリング情報（ＭＳＩ）ＭＡＣ制御要素を獲得しうる。ＳＩＢ１３は、（１）セルによってサポートされる各ＭＢＳＦＮエリアのＭＢＳＦＮエリア識別子、（２）ＭＣＣＨ反復期間（例えば、３２、６４、…、２５６フレーム）、ＭＣＣＨオフセット（例えば、０、１、…、１０フレーム）、ＭＣＣＨ変更期間（例えば、５１２、１０２４フレーム）、シグナリング変調およびコーディングスキーム（ＭＣＳ）、反復期間およびオフセットによって示されるような無線フレームのどのサブフレームがＭＣＣＨを送信しうるかを示すサブフレーム割り振り情報のようなＭＣＣＨを獲得するための情報、ならびに（３）ＭＣＣＨ変化通知構成を含みうる。ＭＢＳＦＮエリア毎に１つのＭＢＳＦＮエリア構成メッセージが存在する。ＭＢＳＦＮエリア構成メッセージは、（１）ＰＭＣＨ内の論理チャネル識別子によって識別される各ＭＴＣＨのオプションのセッション識別子および一時的モバイルグループアイデンティティ（ＴＭＧＩ）、ならびに（２）ＭＢＳＦＮエリアの各ＰＭＣＨを送信するための割り振られたリソース（すなわち、無線フレームとサブフレーム）およびエリアにおけるすべてのＰＭＣＨに対する割り振られたリソースの割り振り期間（例えば、４、８、…、２５６フレーム）、ならびに（３）ＭＳＩ  ＭＡＣ制御要素が送信されるＭＣＨスケジューリング期間（ＭＳＰ）（例えば、８、１６、３２、…、または１０２４無線フレーム）を示しうる。
【００４３】
[0057]図７Ｂは、ＭＳＩ  ＭＡＣ制御要素のフォーマットを例示する図７９０である。ＭＳＩ  ＭＡＣ制御要素は、ＭＳＰ毎に一度送られうる。ＭＳＩ  ＭＡＣ制御要素は、ＰＭＣＨの各スケジューリング期間の第１のサブフレームにおいて送られうる。ＭＳＩ  ＭＡＣ制御要素は、ＰＭＣＨ内の各ＭＴＣＨの停止フレームおよびサブフレームを示しうる。ＭＢＳＦＮエリア毎のＰＭＣＨ毎に１つのＭＳＩが存在しうる。
【００４４】
キャリアアグリゲーション
[0058]ＵＥは、各方向への送信のために使用される合計１００ＭＨｚまでのキャリアアグリゲーション（５つのコンポーネントキャリア）において割り振られる２０ＭＨｚまでの帯域幅のスペクトルを使用しうる。概して、ダウンリンクよりもアップリンク上でより少ないトラフィックが送信され、そのためアップリンクスペクトル割り振りは、ダウンリンク割り振りよりも小さいことがある。例えば、アップリンクに２０ＭＨｚが割り当てられる場合、ダウンリンクは１００Ｍｈｚを割り当てられうる。これらの非対称ＦＤＤ割り当ては、スペクトルを節約し、ブロードバンド加入者による典型的な非対称帯域幅利用に適している。
【００４５】
キャリアアグリゲーションタイプ
[0059]２つのタイプのキャリアアグリゲーション（ＣＡ）方法、連続ＣＡおよび非連続ＣＡ、が提案されてきた。２つのタイプのＣＡ方法は、図８Ａおよび図８Ｂにおいて例示される。非連続ＣＡは、複数の利用可能なコンポーネントキャリアが周波数帯域に沿って切り離されている（図８Ｂ）ときに起こる。他方で、連続ＣＡは、複数の利用可能なコンポーネントキャリアが互いに隣り合っている（図８Ａ）ときに起こる。非連続ＣＡと連続ＣＡとの両方は、単一のＵＥにサービス提供するために複数のＬＴＥ／コンポーネントキャリアをアグリゲートする。
【００４６】
周波数プルーニング
[0060]ＵＥの増大したインテリジェンスおよびエアインタフェースの高まる複雑さ（growing complexity）は、予想されるセルスケジューリング、再選択、ハンドオーバ、または他のそのようなイベントのイベントにおける、利用可能なセルについてのＵＥとネットワークとの間のより精密な（more detailed）通信の必要性を増大させてきた。ＬＴＥのコンテキストでは、これらの問題に関するネットワークとＵＥとの間の通信は、以下に続く規格：ＬＴＥ、発展型ユニバーサル地上無線アクセス（Ｅ−ＵＴＲＡ）、無線リソース制御（ＲＲＣ）、プロトコル仕様書（３ＧＰＰ  ＴＳ３６．３３１バージョン１０．５．０リリース１０）、において論じられている。１つの目的は、ワイヤレス通信における最大限のパフォーマンスが達成されうるように、最も高い通信品質をもつセルを見つけることである。そのようなセルを識別するために、ｅＮＢは、ＵＥからある特定のデータを取得し、データを分析し得、その後、それに応じてそのダウンリンク送信を調整する。データは、例えば、ＵＥが認識するセルの識別情報（identification）、そのセルからの送信の品質および強度、ＵＥの現在のチャネル条件、送信モードおよびアンテナについての情報、ならびにネットワークによって要求される任意の他の関連性のある情報を含みうる。ネットワークからの要求に応答して、ＵＥは、ネットワークにそのようなデータおよび測定値（measurements）を提供するために、測定レポートを発行しうる。そのような測定はしばしば、隣り合うまたは近くのセルに対してなされるが、任意の関連性のあるＵＥパラメータも含みうる。
【００４７】
[0061]ＵＥは、測定構成を使用して、ネットワークから要求された情報を学習する。ＵＥが、ＲＲＣ＿ＣＯＮＮＥＣＴＥＤモードにあるとき、この測定構成は、専用のシグナリングの手段によってＵＥに提供される。たとえば、RRCConnectionReconfigurationメッセージは、ｅＮＢからＵＥに送信されうる。ＵＥに提供される測定構成は、以下で論じられる、様々なパラメータを含み得る。
【００４８】
[0062]RRCConnectionReconfigurationメッセージは、ＲＲＣ接続を変更するためのコマンドである。このプロシージャの目的は、ハンドオーバを行うために無線ベアラを確立、変更、もしくはリリースすること、測定をセットアップ／変更／リリースすること、またはサービングセル（ＳＣｅｌｌ）を追加／変更／リリースすることである。加えて、このメッセージを使用して、専用の非アクセス層（ＮＡＳ）情報がｅＮＢからＵＥに転送されうる。
【００４９】
[0063]測定構成は測定オブジェクトを含み、それは、ＵＥが測定を行うように設定される周波数およびセルの構成要素となる。測定オブジェクトは、イントラおよびインター周波数ＬＴＥネイバー（neighbors）のみならず、（ＵＥが他の無線アクセス技術（ＲＡＴ）からワイヤレスサービスを受信するように構成される場合）イントラおよびインターＲＡＴ（ＩＲＡＴ）ＵＭＴＳネイバー、ＩＲＡＴ  ＧＳＭネイバー、ならびにＩＲＡＴ  ＣＤＭＡ２０００  ＨＲＰＤおよび１ｘＲＴＴネイバーを含む、他のＲＡＴも含む。測定構成は、報告構成をさらに含み、それは、測定レポート、およびＵＥがそのレポートにおいて含むパラメータを提供するためにＵＥによって使用されるファクタの構成要素となる。加えて、測定構成は、測定アイデンティティ、または測定オブジェクトを報告構成とリンクさせる識別子を含みうる。言い換えれば、ＵＥは、測定されるべきオブジェクトおよびそれらの特定のトリガを追跡する(keep track of)必要がある。測定アイデンティティは、測定レポートにおいて参照番号として使用される。測定構成の他のパラメータは、ＲＡＴ毎を基礎とした報告および測定において使用される測定品質を表す品質構成、ならびに接続モードにある間にＵＥが測定を行うために使用しうる時間期間を表す測定ギャップを含む。
【００５０】
[0064]測定レポートは、イベントによりトリガされうる(event-triggered)、または周期的でありうる。イベントベースの測定レポートは、様々な状況下でＵＥによって送信されうる。例は、サービングセル、プライマリセル、またはＩＲＡＴネイバーが所定のしきい値よりも良好または悪くなるとき、ネイバーセルがプライマリセルよりも良好になるとき、等を含みうる。さらに、周期的測定レポートは、報告構成において設定されたパラメータおよび期間に基づいてネットワークに送信されうる。
【００５１】
[0065]図９は、測定構成メッセージの例示９００である。メッセージは、ｅＮＢによってＵＥに送られる。メッセージは、測定オブジェクトのセットを含み、それは、この例では、オブジェクトＩＤ１および２にそれぞれ対応するＬＴＥキャリア周波数１および２、オブジェクトＩＤ３および４にそれぞれ対応するＵＭＴＳキャリア周波数１および２、ならびにオブジェクトＩＤ５に対応するキャリア周波数のＧＳＭセットを含む。今度は（in turn）、オブジェクトＩＤ１−５の各々は、それぞれの測定ＩＤ１−５にマッピングされる。測定ＩＤ１および２は、レポートＩＤ１および２にそれぞれマッピングされる。測定ＩＤ３および４は、レポートＩＤ３にマッピングされる。測定ＩＤ５は、レポートＩＤ４にマッピングされる。矢印によって示されるように、レポートＩＤ１−４の各々は、レポート構成ＩＤにマッピングされる。報告構成は、（周期的であろうと、イベントにより駆動されようと(event-driven)）どの情報（what information）（すなわち、ＬＴＥのための入来する（incoming）受信電力、ＵＭＴＳのための信号コード電力（ＲＳＣＰ）、セルの数、等のような量）をＵＥが報告すると期待すべきかに関する測定レポートおよび詳細をＵＥに送らせる基準をＵＥに報告する。報告構成ＩＤの例示として、イベントＡ１は、サービングセルが定義されたしきい値よりも良好になるケースに対応しうる。イベントＡ２（図示せず）は、サービングセルがしきい値よりも悪くなるケースに対応しうる。イベントＡ３は、ネイバーセルが、いくらかのオフセット分プライマリセルよりも良好になるケースに対応しうる。イベントＢ２は、プライマリセルが定義されたしきい値よりも悪くなり、インターＲＡＴネイバーが第２のしきい値よりも良好になるケースに対応しうる。これは、図９において、イベントＢ２がトリガされる条件をＵＥが認識してしまったとき、ＵＥが、少なくともＵＭＴＳキャリア周波数１および２の測定値およびキャリア周波数のＧＳＭセットを含む測定レポートを、ｅＮＢに送ることになり、それによってｅＮＢに現在のチャネル条件を知らせることを意味する。
【００５２】
[0066]図１０は、ワイヤレス通信の方法のフローチャート１０００である。図示されているのは、ＬＴＥネットワークのコンテキストで使用される方法である一方、本明細書で開示される原理は、例えば、ＣＤＭＡ、ＴＤＭＡ、ＦＤＭＡ、等の原理に基づいたシステムを含む、任意の適したワイヤレス技術またはネットワーク構成に等しく適用されうる。ＵＥおよびネットワークは、ＲＲＣ＿ＣＯＮＮＥＣＴＥＤモードにある。ＵＥは、ＲＲＣ接続が確立されてしまっているときにＲＲＣ＿ＣＯＮＮＥＣＴＥＤにある（１０１４）。これが当てはまらない、すなわち、どのＲＲＣ接続も確立されない場合、ＵＥは、ＲＲＣ＿ＩＤＬＥ状態にありうる。上で論じられたように、ネットワークは、測定関連情報をもつRRCConnectionReconfigurationメッセージを送る（１０１６）。
【００５３】
[0067]ＬＴＥのケースでは、RRCConnectionReconfigurationメッセージは、測定構成の一部として多数のインター周波数ネイバーおよびインターＲＡＴネイバーを識別する。既存のインプリメンテーションでは、過度にたくさんのインター周波数ネイバーおよびインターＲＡＴネイバーの存在は、他の方法では接続を確立するための良好な候補周波数でありうるＬＴＥまたは他のＲＡＴからの他の周波数が、測定から省略されうるような問題を作り出す。例として、従来のアルゴリズムは単に、有効な測定ＩＤのみに基づいて、サービングセルに関して最大の所定の数の測定オブジェクト（例えば、１０個）の測定をスケジューリングしうる。その後、より小さな最大の数（例えば、５つ）の非サービングＬＴＥ測定オブジェクトがスケジューリングされうる。この技法では、多数の候補測定のプルーニング、または削減(paring down)が、測定オブジェクトＩＤに基づき、その結果、潜在的に強い候補インター周波数ネイバーおよびインターＲＡＴネイバーの除外をもたらす。
【００５４】
[0068]本開示の一態様では、ＲＲＣ接続モードでのＵＥは、ブロードキャストされたシステム情報と前のサービングセルの履歴情報のローカルキャッシュとの両方から取得されたデータの検討（review）に基づいて、候補セルのさらなるプルーニングを開始する。ブロードキャストされたシステム情報は、例えば、ネットワークによってブロードキャストされたシステム情報ブロックのうちの１つまたは複数におけるデータを含みうる。履歴情報は、ＵＥの獲得データベースにおいて含まれうる。
【００５５】
[0069]したがって、本明細書で開示されるような優先度順位づけスキームでは、ＵＥがRRCConnectionReconfigurationメッセージを受信するとき、ＵＥは、優先度に基づいたさらなる周波数プルーニングのためのアルゴリズムを開始する（１０１８）。周波数プルーニングは、セル再構成（例えば、セル選択、再選択、ハンドオーバ、セル選択、セルスケジューリング、等）のようなイベントの際の使用のために、候補周波数またはセルのセットを改善する（refining）ことを指す。プルーニングは、測定を行うべきセルおよび周波数を識別することから始まる(begin with)。このアルゴリズムの例示は、図１１に関連して描写される。ＵＥはその後、プルーニングされた周波数および対応する測定を、ネットワークに返すように送信しうる（１０２０）。
【００５６】
[0070]本明細書で開示されるような方法は、モバイル局、またはハンドヘルドもしくはポータブルデバイス、あるいはＬＴＥのケースでは、ＵＥ、例えばＵＥ２０６（図２）、装置１２００（図１２）および１３００（図１３）によって行われうる。周波数プルーニングの態様では、測定オブジェクトおよび候補セルは、（１）ブロードキャストされたシステム情報、および／または（２）前のサービングセルに対応する履歴情報、に基づいて選択されうる。（１）に関連して、図示されるように、ＵＥは、様々なＳＩＢにおける情報を使用しうる。加えて、または代わりとして、および（２）に関連して、測定オブジェクトおよびセルは、前のサービングセルのキャッシュ（例えば、獲得データベース）または別のＲＡＴからの前のサービングセルのキャッシュのようなデータベースにおける情報から集められうる。
【００５７】
[0071]図１１は、ワイヤレス通信の方法のフローチャートである。図１１の例示がＬＴＥシステムのコンテキストでＵＥによって行われる一方、当業者によって、本開示の原理が別のワイヤレスアクセス技術に等しく適用されうることは、理解されるだろう。ここでは、別の等しく適したトリガリングイベントがＲＡＴおよびワイヤレスネットワークトポロジに依存して起こりうるけれども、ＵＥがネットワークからRRC Connection Reconfigurationメッセージを受信してしまっていることが想定される。１１０２で、ＵＥは、以下のように、ＬＴＥサービングセルを選択する。ＵＥは、キャリアアグリゲーション（ＣＡ）が有効にされるかどうかを決定する（１１０４）。有効にされない場合、サービングセルはプライマリセルである（１１０６）。ＣＡは有効にされるが、３ＤＬ  ＣＡが有効にされない場合（１１０８）、サービングセルは、プライマリセルおよびセカンダリセルである（１１１０）。３ＤＬ  ＣＡが有効にされる場合、サービングセルは、プライマリセル、ならびに第１および第２のセカンダリセルである（１１１２）。
【００５８】
[0072]その後すぐ(thereupon)、１１１４で、ＵＥは、ＳＩＢ５および／または前のサービングセルのＬＴＥキャッシュに基づいて、ＬＴＥ非サービングセルを選択する。１１１６で、ＵＥは、測定オブジェクトに対応する周波数がＳＩＢ５において見つけられるか、または前のサービングセルのキャッシュにおいて見つけられるかに基づいて、１つまたは複数のＬＴＥ非サービングセルに関連付けられた３つの測定オブジェクトを識別する。いくつかの構成では、ステップ１１１４および１１１６は、同時に行われうる。他のシステム情報ブロックと同様に、ＳＩＢ５は、論理チャネルＢＣＣＨ上でＵＥにネットワークによってブロードキャストされる。この論理チャネル情報はさらに、トランスポートチャネルＢＣＨ上で搬送される、またはＤＬ−ＳＣＨによって搬送される。ＳＩＢ５は、セル再選択およびハンドオーバのための情報を包含し、インター周波数ネイバー（異なる周波数上のセル）、Ｅ−ＵＴＲＡ  ＬＴＥ周波数、および他のＲＡＴからの他のネイバーセル周波数を含む。加えて、前のサービングセルのＬＴＥキャッシュから情報を検索することによって、ＵＥは、ＬＴＥセルについての履歴情報を考慮に入れ、測定のスケジューリングおよび／または測定レポートの準備においてその情報を使用しうる。一構成では、ＵＥは、前のサービングセルのキャッシュにおいて見つけられる測定オブジェクト周波数を探す(looking for)前にＳＩＢ５において存在する測定オブジェクト周波数のシーケンスを探し、それらのいずれかにおいて存在するもの（ones）を識別しうる。このステップは、所望の数（例えば、３つ）の測定オブジェクトが識別されるまで、設定された回数（例えば、３回）、行われうる。このステップでは、ＵＥは、（ＳＩＢ５からの）現在のサービングセルによってサービス提供されているネイバーについての情報のみならず、（前のサービングセルのＬＴＥキャッシュからの）前のサービングセルについての履歴情報を提供するための測定を識別できる。
【００５９】
[0073]１１１８で、ＵＥがＷＣＤＭＡ（登録商標）のために構成されることを決定すると、ＵＥは、ＳＩＢ６または前のサービングセルのＷＣＤＭＡキャッシュに対応する１つのＷＣＤＭＡ測定オブジェクトを識別する。ＳＩＢ６は、セル再選択のためのＵＴＲＡネイバリングセルに関する情報を包含する。ＳＩＢ６は、ＵＴＲＡ周波数に共通であるセル再選択パラメータを含む。前のセルのＷＣＤＭＡデータベースは、同じように、ＷＣＤＭＡサービスに関する履歴情報を含みうる。１１２０で、ＵＥは、（ＵＥがＧＳＭのために構成されると想定して）絶対無線周波数チャネル番号（ＡＲＦＣＮ）カウントが３２に達するまで、すべてのＧＳＭ測定オブジェクトを識別する。ＡＲＦＣＮは、ＧＳＭにおいて各無線チャネルに与えられる一意の番号である。ＡＲＦＣＮは、無線チャネルの正確な周波数を算出するために使用されうる。
【００６０】
[0074]１１２２で、ＵＥがＣＤＭＡのために構成されることを決定すると、ＵＥは、ＳＩＢ８または前のサービングセル情報をキャッシュするＣＤＭＡデータベースに対応する１つのＣＤＭＡ測定オブジェクトを識別する。ＳＩＢ８は、ＣＤＭＡ−２０００  ＥＶＤＯ周波数およびＣＤＭＡ−２０００ネイバーセル周波数のような、ｅＨＲＰＤ（発展型高速パケットデータ、これは、ＬＴＥの発展型パケットコアへの接続性のサポートをもつ１ｘＥＶ−ＤＯ  Ｒｅｖ．Ａである）に対するｉＲＡＴセル再選択のための情報を包含する。
【００６１】
[0075]１１２４で、ＵＥは、１つのＬＴＥダウンリンク（ＤＬ）専用（LTE downlink(DL)-only）測定オブジェクトを識別する。ＬＴＥ  ＤＬ専用帯域の例は、新たな帯域（New Band）ＬＴＥダウンリンクＦＤＤ７１６−７２８ＭＨｚ（帯域２９）である。プロセスにおけるその時までに(by the time in the process)、識別された測定オブジェクトのカウントが１０のような所定の数にまだ達していない場合、ＵＥは、カウントが１０のような所定の数に達するまで、有効な測定オブジェクト識別子に基づいて残りの測定オブジェクトを識別する（１１２６）。その後すぐ、１１２８で、ＵＥは、測定オブジェクトを、−例えば、（上で説明された）測定レポートの一部として−ｅＮＢに送信する。
【００６２】
[0076]図１１の例示では、ステップは、最も所望の可能性のある（potential）セルおよびチャネルの優先度の低い方へ向かう（downward）順序で行われうる。ＵＥは、測定オブジェクトが、単独で測定オブジェクト識別子に基づいて、恣意的に選択された場合、他の方法では無視された可能性がある他のＲＡＴからの測定を考慮に入れることができる。加えて、本明細書で開示される技法を使用すると、ＵＥは、候補周波数およびセルを選択するための優先度を決定するために、ブロードキャストされたシステム情報およびキャッシュされた履歴情報を使用できる。再構成（例えば、セル選択、再選択、ハンドオーバ、等）について、より良好な決定がなされうるので、ワイヤレス送信の品質および効率は改善されうる。
【００６３】
[0077]技法は、図１１におけるステップに厳格に従う必要はない。例えば、とりわけ１１０２、１１１４、１１２６のような、アルゴリズムにおける特定のステップのみを含む優先度順位づけ技法が、考慮に入れられうる。非常に多くの(numerous)他のシーケンスが考えられうる。他の構成では、アルゴリズムは、ステップ１１０２、１１４、１１１６、１１１８、１１２０、１１２２、１１２４、または１１２６のうちの１つまたは複数を省略しうる。加えて、アルゴリズムは、これらの原理が適用されるＲＡＴのタイプのような様々なファクタに依存して、異なる順序で行われうる。
【００６４】
[0078]図１２は、実例的な装置における異なるモジュール／手段／コンポーネント間のデータフローを例示する概念上のデータフロー図１１００である。図１２で説明されるデータフローは、ただ実例的であるに過ぎず、限定するものであるようには意図されていない。装置はＵＥでありうる。装置は、ｅＮＢ１２２０からＲ１を介してダウンリンク送信を受信する受信モジュール１２０２を含む。受信モジュール１２０２は、ＲＭＯを介してＬＴＥサービングセル選択モジュール１２０４と通信しうる。ＬＴＥサービングセル選択モジュール１２０４は、図１１に関して(with respect to)説明されたように、ＬＴＥサービングセルを選択する。この情報は、選択されたＬＴＥサービングセルに関連付けられた１つまたは複数の測定オブジェクトを識別するＬＴＥサービングセル測定オブジェクト識別モジュール１２０６にとってＳＣＳＯを介して利用可能にされる。制御は、ＬＴＥ非サービングセルが選択されるＬＴＥ非サービングセル選択モジュール１２０８にＳＣＩＯを介してパスされる。情報は、選択された非サービングセルに関連付けられた１つまたは複数の測定オブジェクトが識別されるＬＴＥ非サービングセル測定オブジェクト識別モジュール１２１０にＮＳＣＳを介して提供される。モジュール１２１０から、情報は、ｅＮＢ１２２０へのＴＯを介した送信のために送信モジュール１２１８に送られうる、または代わりとしてデータは、サポートされたＷＣＤＭＡセルに対応する測定オブジェクトが識別されるＷＣＤＭＡ測定オブジェクト識別モジュール１２１２にパスされうる。情報は、ＧＳＭ測定オブジェクト識別モジュール１２０８にＧＳＭＩを介してパスされる。モジュール１２０８で、ｅＮＢは、サポートされたＣＤＭＡセルに対応する測定オブジェクトを識別する。その後(thereafter)、ＧＳＭＯを通じて、情報は、サポートされたＣＤＭＡセルに関連付けられた測定オブジェクトが識別されるＣＤＭＡ測定オブジェクト識別モジュール１２０９に提供される。情報は、ＵＥが対応するＬＴＥダウンリンク専用チャネルの１つまたは複数の測定オブジェクトを識別するＬＴＥ  ＤＬ専用測定オブジェクト識別モジュール１２１６にＣＤＯを介して提供される。情報は、ＵＥ１２２０へのＴＯを介して測定構成メッセージの一部としての送信のために、送信モジュール１２１８にＲＭＯを介して提供される。
【００６５】
[0079]装置は、図１０および図１１の前述のフローチャートにおけるアルゴリズムのブロックの各々を行う追加のモジュールを含みうる。このように、図１０および図１１の前述のフローチャートにおける各ブロックは、モジュールによって行われ得、装置はそれらのモジュールのうちの１つまたは複数を含みうる。モジュールは、述べられたプロセス／アルゴリズムを実行するように特に構成された、述べられたプロセス／アルゴリズムを行うように構成されたプロセッサによってインプリメントされた、プロセッサによるインプリメンテーションのためにコンピュータ可読媒体内に記憶された、またはそれらの何らかの組合せの、１つまたは複数のハードウェアコンポーネントでありうる。
【００６６】
[0080]図１３は、処理システム１３１４を用いる装置１３０２’のためのハードウェアインプリメンテーションの例を例示する図１３００である。装置は、ポータブルデバイスまたはＵＥでありうる。処理システム１３１４は、概してバス１３２４によって表される、バスアーキテクチャでインプリメントされうる。バス１３２４は、処理システム１３１４の特定のアプリケーションおよび全体的な設計制約に依存して、任意の数の相互接続するバスおよびブリッジを含みうる。バス１３２４は、プロセッサ１３０４、モジュール１３０４、１３０６、１３０８、１３１０、１３１２、１３１５、およびコンピュータ可読媒体／メモリ１３０６によって表される、１つまたは複数のプロセッサおよび／またはハードウェアモジュールを含む様々な回路を互いにリンクさせる。バス１３２４はまた、タイミングソース、周辺機器、電圧レギュレータ、および電力管理回路のような、様々な他の回路をリンクさせ得、それらは当該技術分野において周知であり、それゆえに、これ以上説明されないだろう。
【００６７】
[0081]処理システム１３１４は、トランシーバ１３１０に結合されうる。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１２２０から信号を受信し、受信された信号から情報を抽出し、その抽出された情報を処理システム１３１４に提供する。加えて、トランシーバ１３１０は、処理システム１３１４から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６上に記憶されたソフトウェアの実行を含む、一般的な処理を担う。ソフトウェアは、プロセッサ１３０４によって実行されたとき、処理システム１３１４に、任意の特定の装置に関して上で説明された様々な機能を行わせる。処理システムは、本明細書に記載される機能を行うように構成された少なくとも１つのプロセッサをさらに含みうる。コンピュータ可読媒体／メモリ１３０６はまた、ソフトウェアを実行するときにプロセッサ１３０４によって操作されるデータを記憶するために使用されうる。処理システムは、モジュール１３０４、１３０６、１３０８、１３１０、１３１２、および１３１５のうちの少なくとも１つをさらに含む。モジュールは、コンピュータ可読媒体／メモリ１３０６において常駐する／記憶された、プロセッサ１３０４において稼働するソフトウェアモジュール、プロセッサ１３０４に結合された１つまたは複数のハードウェアモジュール、またはそれらの何らかの組合せでありうる。処理システム１３１４は、ＵＥ６５０（図６）のコンポーネントであり得、メモリ６６０および／またはＴＸプロセッサ６６８、ＲＸプロセッサ６５６、およびコントローラ／プロセッサ６５９のうちの少なくとも１つを含みうる。
【００６８】
[0082]一構成では、ワイヤレス通信のための装置１３０２’は、少なくとも１つのワイヤレスサービングセルを選択するための手段と、データソースに基づいて少なくとも１つのワイヤレス非サービングセルを選択するための手段と、選択された少なくとも１つのワイヤレスサービングおよび非サービングセルに対応する複数の測定オブジェクトを識別するための手段と、少なくとも１つの測定された値を作り出すために、選択された少なくとも１つのワイヤレスサービングおよび非サービングセル、ならびに識別された測定オブジェクトに基づいてワイヤレス測定を行うための手段と、選択された少なくとも１つのワイヤレスサービングおよび非サービングセルに関連付けられたチャネル条件を決定する際の使用のために、基地局に少なくとも１つの測定された値を送信するための手段と、を含む。前述の手段は、前述の手段によって記載される機能を行うように構成された装置１３０２’の処理システム１３１４および／または装置１３０２’の前述のモジュールのうちの１つまたは複数でありうる。上で説明されたように、処理システム１３１４は、ＴＸプロセッサ６６８、ＲＸプロセッサ６５６、およびコントローラ／プロセッサ６５９を含みうる。このように、一構成では、前述の手段は、前述の手段によって記載される機能を行うように構成されたコントローラ／プロセッサ６５９、ＲＸプロセッサ６５６、およびＴＸプロセッサ６６８でありうる。
【００６９】
[0083]さらなる開示が、付属書において含まれる。
【００７０】
[0084]開示されるプロセス／フローチャートにおけるブロックの特定の順序または階層が、実例的なアプローチの例示であることは理解される。設計選好に基づいて、プロセス／フローチャートにおけるブロックの特定の順序または階層が再配置されうることは、理解される。さらに、いくつかのブロックは、組み合わされうる、または省略されうる。付随の方法の請求項は、サンプルの順序で様々なブロックの要素を提示し、提示される特定の順序または階層に限定されるようには意図されていない。
【００７１】
[0085]先の説明は、いずれの当業者も本明細書で説明される様々な態様を実施できるようにするために提供される。これらの態様への様々な変更は、当業者には容易に明らかになり、本明細書で定義される包括的な原理は、他の態様に適用されうる。それゆえに、請求項は、本明細書で図示される態様に限定されるようには意図されていないが、請求項の用語と一貫した最大範囲を与えられることとし、ここにおいて、単数における要素への言及は、特にそのように述べられない限り、「１つ、および１つのみ」を意味するようには意図されず、むしろ「１つまたは複数」を意味するように意図されている。「実例的」という言葉は、「例、事例、または例示としての役割をする」を意味するように本明細書では使用される。本明細書で「実例的」として説明されるいずれの態様も、必ずしも、他の態様よりも好まれる、または有利であるとして解釈されないこととする。他の方法で特に述べられない限り、「いくつかの、いくらかの、何らかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」のような組合せは、Ａのみ、Ｂのみ、Ｃのみ、ＡおよびＢ、ＡおよびＣ、ＢおよびＣ、またはＡおよびＢおよびＣ、であり得、ここで、いずれのそのような組合せも、Ａ、Ｂ、またはＣのうちの１つまたは複数のメンバを包含しうる。当業者に知られている、または後に知られるようになる本開示全体を通じて説明される様々な態様の要素に対するすべての構造的および機能的な均等物は、参照によって本明細書に明示的に組み込まれ、請求項によって含まれるように意図されている。さらに、本明細書で開示されるものはどれも、そのような開示が請求項において明白に記載されているかどうかにかかわらず、公けに寄与されるように意図されていない。どの請求項の要素も、要素が、「のための手段」というフレーズを使用して明示的に記載されない限り、ミーンズプラスファンクションとして解釈されないこととする。
【図１】
2018507647.tif 000003
【図２】
2018507647.tif 000004
【図３】
2018507647.tif 000005
【図４】
2018507647.tif 000006
【図５】
2018507647.tif 000007
【図６】
2018507647.tif 000008
【図７Ａ】
2018507647.tif 000009
【図７Ｂ】
2018507647.tif 000010
【図８Ａ】
2018507647.tif 000011
【図８Ｂ】
2018507647.tif 000012
【図９】
2018507647.tif 000013
【図１０】
2018507647.tif 000014
【図１１】
2018507647.tif 000015
【図１２】
2018507647.tif 000016
【図１３】
2018507647.tif 000017
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも１つのワイヤレスサービングセルを選択すること、およびデータソースに基づいて少なくとも１つのワイヤレス非サービングセルを選択することを備える、セル再構成に応答して、ユーザ機器（ＵＥ）が、１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
備える、方法。
【請求項２】
前記選択された少なくとも１つのワイヤレスサービングおよび非サービングセルに関連付けられたチャネル条件を決定する際の使用のために、ネットワーク要素に前記少なくとも１つの測定された値を送信することをさらに備える、請求項１に記載の方法。
【請求項３】
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでの前記ユーザ機器（ＵＥ）によって行われる、
請求項１に記載の方法。
【請求項４】
前記履歴情報は、獲得データベースにおいてローカルに記憶される、請求項３に記載の方法。
【請求項５】
前記少なくとも１つのワイヤレスサービングセルを前記選択することは、キャリアアグリゲーション（ＣＡ）が有効にされるかどうかを決定することを備える、請求項３に記載の方法。
【請求項６】
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別すること、をさらに備え、
ここにおいて、前記ワイヤレス測定を前記行うことは、前記少なくとも１つの測定オブジェクトにさらに基づく、
請求項３に記載の方法。
【請求項７】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、請求項３に記載の方法。
【請求項８】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、請求項６に記載の方法。
【請求項９】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項３に記載の方法。
【請求項１０】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項６に記載の方法。
【請求項１１】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項７に記載の方法。
【請求項１２】
前記ブロードキャストされたシステム情報は、システム情報ブロック５（ＳＩＢ５）からのデータを備え、前記履歴情報は、前記ＵＥによって維持される前のサービングセルのキャッシュを備える、請求項３に記載の方法。
【請求項１３】
前記少なくとも１つの測定オブジェクトは、システム情報ブロック６（ＳＩＢ６）または前記ＵＥによって維持される前のサービングセルのキャッシュのうちの少なくとも１つからのデータに対応する広帯域符号分割多元接続（ＷＣＤＭＡ）測定オブジェクトを備える、請求項６に記載の方法。
【請求項１４】
前記少なくとも１つの測定オブジェクトは、１から３２までの絶対無線周波数チャネル番号（ＡＲＦＣＮ）カウントから識別された複数のＧＳＭ測定オブジェクトを備える、請求項６に記載の方法。
【請求項１５】
前記少なくとも１つの測定オブジェクトは、システム情報ブロック８（ＳＩＢ８）または前記ＵＥによって維持される前のサービングセルのキャッシュのうちの少なくとも１つからのデータに対応するＣＤＭＡ測定オブジェクトを備える、請求項６に記載の方法。
【請求項１６】
前記少なくとも１つのワイヤレスサービングセルは、プライマリセルまたはセカンダリセルのうちの少なくとも１つを備える、請求項３に記載の方法。
【請求項１７】
前記少なくとも１つのワイヤレス非サービングセルは、イントラ周波数ネイバーまたはインター周波数ネイバーのうちの少なくとも１つを備える、請求項１に記載の方法。
【請求項１８】
前記１つまたは複数の候補非ＬＴＥセルは、ＷＣＤＭＡネイバー、ＧＳＭネイバー、またはＣＤＭＡネイバーのうちの少なくとも１つを備える、請求項６に記載の方法。
【請求項１９】
前記測定オブジェクト識別子に対応する前記少なくとも１つの測定オブジェクトの各々は、前記複数の測定オブジェクトの合計カウントが所定の数に達するまで識別される、請求項９に記載の方法。
【請求項２０】
ワイヤレス通信のための装置であって、
メモリと、
前記メモリに結合された少なくとも１つのプロセッサとを備え、前記少なくとも１つのプロセッサは、
少なくとも１つのワイヤレスサービングセルを選択すること、およびデータソースに基づいて少なくとも１つのワイヤレス非サービングセルを選択することを備える、セル再構成に応答して、ユーザ機器（ＵＥ）において、１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
を行うように構成される、装置。
【請求項２１】
前記プロセッサは、
前記選択された少なくとも１つのワイヤレスサービングおよび非サービングセルに関連付けられたチャネル条件を決定する際の使用のために、ネットワーク要素に前記少なくとも１つの測定された値を送信するようにさらに構成される、請求項２０に記載の装置。
【請求項２２】
前記ワイヤレスサービングセルは、ロングタームエボリューション（ＬＴＥ）セルを備え、前記装置は、無線リソース制御（ＲＲＣ）接続モードで構成されている、請求項２０に記載の装置。
【請求項２３】
前記履歴情報は、獲得データベースにおいてローカルに記憶される、請求項２２に記載の装置。
【請求項２４】
前記少なくとも１つのワイヤレスサービングセルを選択することは、キャリアアグリゲーション（ＣＡ）が有効にされるかどうかを決定することを備える、請求項２２に記載の装置。
【請求項２５】
前記少なくとも１つのプロセッサは、
前記装置が１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するようにさらに構成され、
ここにおいて、前記ワイヤレス測定を前記行うことは、前記少なくとも１つの測定オブジェクトにさらに基づく、
請求項２２に記載の装置。
【請求項２６】
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
請求項２２に記載の装置。
【請求項２７】
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
請求項２５に記載の装置。
【請求項２８】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２２に記載の装置。
【請求項２９】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２５に記載の装置。
【請求項３０】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２７に記載の装置。
【請求項３１】
前記ブロードキャストされたシステム情報は、システム情報ブロック５（ＳＩＢ５）からのデータを備え、前記履歴情報は、前のサービングセルのローカルキャッシュを備える、請求項２２に記載の装置。
【請求項３２】
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、請求項２５に記載の装置。
【請求項３３】
前記少なくとも１つの測定オブジェクトは、１から３２までの絶対無線周波数チャネル番号（ＡＲＦＣＮ）カウントから識別された複数のＧＳＭ測定オブジェクトを備える、請求項２５に記載の装置。
【請求項３４】
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、請求項２５に記載の装置。
【請求項３５】
前記少なくとも１つのワイヤレスサービングセルは、プライマリセルまたはセカンダリセルのうちの少なくとも１つを備える、請求項２０に記載の装置。
【請求項３６】
前記少なくとも１つのワイヤレス非サービングセルは、イントラ周波数ネイバーまたはインター周波数ネイバーのうちの少なくとも１つを備える、請求項２０に記載の装置。
【請求項３７】
前記１つまたは複数の候補非ＬＴＥセルは、ＷＣＤＭＡネイバー、ＧＳＭネイバー、またはＣＤＭＡネイバーのうちの少なくとも１つを備える、請求項２５に記載の装置。
【請求項３８】
前記測定オブジェクト識別子に対応する前記少なくとも１つの測定オブジェクトの各々は、前記複数の測定オブジェクトの合計カウントが所定の数に達するまで識別される、請求項２８に記載の装置。
【請求項３９】
ワイヤレス通信のための装置であって、
無線リソース制御（ＲＲＣ）接続モードで、少なくとも１つのワイヤレスサービングセルを選択すること、およびデータソースに基づいて少なくとも１つのワイヤレス非サービングセルを選択することを備える、セル再構成に応答して、ユーザ機器（ＵＥ）が、１つまたは複数の候補周波数のプルーニングを開始するための手段と、前記データソースは、少なくとも１つの前のサービングセルに関する履歴情報、およびブロードキャストされたシステム情報を備える、
前記選択された少なくとも１つのワイヤレスサービングおよび非サービングセルに対応する複数の測定オブジェクトを識別するための手段と、
少なくとも１つの測定された値を作り出すために、前記選択された少なくとも１つのワイヤレスサービングおよび非サービングセル、ならびに前記識別された測定オブジェクトに基づいて、ワイヤレス測定を行うための手段と、
を備える、装置。
【請求項４０】
前記選択された少なくとも１つのワイヤレスサービングおよび非サービングセルに関連付けられたチャネル条件を決定する際の使用のために、基地局に前記少なくとも１つの測定された値を送信するための手段をさらに備える、請求項３９に記載の装置。
【請求項４１】
前記少なくとも１つのワイヤレスサービングセルは、ロングタームエボリューション（ＬＴＥ）セルを備える、請求項３９に記載の装置。
【請求項４２】
ワイヤレス通信のためのコンピュータ実行可能コードを記憶する非一時的コンピュータ可読媒体であって、
少なくとも１つのワイヤレスサービングセルを選択すること、およびデータソースに基づいて少なくとも１つのワイヤレス非サービングセルを選択することを備える、セル再構成メッセージに応答して、ユーザ機器（ＵＥ）が、１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
のためのコードを備える、非一時的なコンピュータ可読媒体。
【請求項４３】
前記選択された少なくとも１つのワイヤレスサービングおよび非サービングセルに関連付けられたチャネル条件を決定する際の使用のために、ネットワーク要素に前記少なくとも１つの測定された値を送信するためのコードをさらに備える、請求項４２に記載のコンピュータ可読媒体。
【請求項４４】
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでの前記ユーザ機器（ＵＥ）によって行われる、
請求項４２に記載のコンピュータ可読媒体。
【請求項４５】
前記少なくとも１つのワイヤレスサービングセルを前記選択することは、キャリアアグリゲーション（ＣＡ）が有効にされるかどうかを決定することを備える、請求項４４に記載のコンピュータ可読媒体。
【請求項４６】
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するためのコードをさらに備え、
ここにおいて、前記ワイヤレス測定を前記行うことは、前記少なくとも１つの測定オブジェクトにさらに基づく、
請求項４４に記載のコンピュータ可読媒体。
【請求項４７】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
のためのコードをさらに備える、請求項４４に記載のコンピュータ可読媒体。
【請求項４８】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
のためのコードをさらに備える、請求項４４に記載のコンピュータ可読媒体。
【請求項４９】
前記ブロードキャストされたシステム情報は、システム情報ブロック５（ＳＩＢ５）からのデータを備え、前記履歴情報は、前記ＵＥによって維持される前のサービングセルのキャッシュを備える、請求項４４に記載のコンピュータ可読媒体。
【請求項５０】
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、請求項４６に記載のコンピュータ可読媒体。
【請求項５１】
前記少なくとも１つの測定オブジェクトは、システム情報ブロック７（ＳＩＢ７）または前記ＵＥによって維持される前のサービングセルのキャッシュにおいて見つけられる、１から３２までの絶対無線周波数チャネル番号（ＡＲＦＣＮ）カウントから識別された複数のＧＳＭ測定オブジェクトを備える、請求項４６に記載のコンピュータ可読媒体。
【請求項５２】
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、請求項４６に記載のコンピュータ可読媒体。
【請求項５３】
前記１つまたは複数の候補非ＬＴＥセルは、ＷＣＤＭＡネイバー、ＧＳＭネイバー、またはＣＤＭＡネイバーのうちの少なくとも１つを備える、請求項４６に記載のコンピュータ可読媒体。
【請求項５４】
ユーザ機器であって、
処理システムを備え、前記処理システムは、
セル再構成に応答して、ブロードキャストされたシステム情報およびローカル履歴情報の検討に基づいて、少なくとも１つのＬＴＥ非サービングセルに対応する複数のＬＴＥ測定オブジェクトを識別し、
前記識別された測定オブジェクトに対応する測定を行い、
ネットワーク要素に、前記識別された測定オブジェクトに対応する測定結果を送信する、
ように構成される、ユーザ機器。
【請求項５５】
前記複数のＬＴＥ測定オブジェクトを前記識別することは、無線リソース制御（ＲＲＣ）接続モードで行われる、請求項５４に記載のユーザ機器。
【請求項５６】
前記ブロードキャストされたシステム情報は、システム情報ブロック（ＳＩＢ）における情報を備える、請求項５４に記載のユーザ機器。
【請求項５７】
前記少なくとも１つのＬＴＥ非サービングセルに対応する前記測定オブジェクトのうちの少なくとも１つは、前記ローカル履歴情報に基づいて識別される、請求項５４に記載のユーザ機器。
【請求項５８】
前記処理システムは、少なくとも１つの非ＬＴＥセルに対応する１つまたは複数の測定オブジェクトを識別するようにさらに構成される、請求項５４に記載のユーザ機器。
【請求項５９】
前記少なくとも１つの非ＬＴＥセルに対応する前記１つまたは複数の測定オブジェクトは、前記ブロードキャストされたシステム情報に基づいて識別される、請求項５８に記載のユーザ機器。
【手続補正２】
【補正対象書類名】明細書
【補正対象項目名】００７１
【補正方法】変更
【補正の内容】
【００７１】
[0085]先の説明は、いずれの当業者も本明細書で説明される様々な態様を実施できるようにするために提供される。これらの態様への様々な変更は、当業者には容易に明らかになり、本明細書で定義される包括的な原理は、他の態様に適用されうる。それゆえに、請求項は、本明細書で図示される態様に限定されるようには意図されていないが、請求項の用語と一貫した最大範囲を与えられることとし、ここにおいて、単数における要素への言及は、特にそのように述べられない限り、「１つ、および１つのみ」を意味するようには意図されず、むしろ「１つまたは複数」を意味するように意図されている。「実例的」という言葉は、「例、事例、または例示としての役割をする」を意味するように本明細書では使用される。本明細書で「実例的」として説明されるいずれの態様も、必ずしも、他の態様よりも好まれる、または有利であるとして解釈されないこととする。他の方法で特に述べられない限り、「いくつかの、いくらかの、何らかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」のような組合せは、Ａのみ、Ｂのみ、Ｃのみ、ＡおよびＢ、ＡおよびＣ、ＢおよびＣ、またはＡおよびＢおよびＣ、であり得、ここで、いずれのそのような組合せも、Ａ、Ｂ、またはＣのうちの１つまたは複数のメンバを包含しうる。当業者に知られている、または後に知られるようになる本開示全体を通じて説明される様々な態様の要素に対するすべての構造的および機能的な均等物は、参照によって本明細書に明示的に組み込まれ、請求項によって含まれるように意図されている。さらに、本明細書で開示されるものはどれも、そのような開示が請求項において明白に記載されているかどうかにかかわらず、公けに寄与されるように意図されていない。どの請求項の要素も、要素が、「のための手段」というフレーズを使用して明示的に記載されない限り、ミーンズプラスファンクションとして解釈されないこととする。
以下に、本願出願の当初の特許請求の範囲に記載された発明を付記する。
［Ｃ１］
ワイヤレス通信の方法であって、
少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
備える、方法。
［Ｃ２］
前記選択された少なくとも１つのワイヤレスサービングおよび非サービングセルに関連付けられたチャネル条件を決定する際の使用のために、ネットワーク要素に前記少なくとも１つの測定された値を送信することをさらに備える、Ｃ１に記載の方法。
［Ｃ３］
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでのユーザ機器（ＵＥ）によって行われる、
Ｃ１に記載の方法。
［Ｃ４］
前記履歴情報は、獲得データベースにおいてローカルに記憶される、Ｃ３に記載の方法。
［Ｃ５］
前記少なくとも１つのワイヤレスサービングセルを前記選択することは、キャリアアグリゲーション（ＣＡ）が有効にされるかどうかを決定することを備える、Ｃ３に記載の方法。
［Ｃ６］
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別すること、をさらに備え、
ここにおいて、前記ワイヤレス測定を前記行うことは、前記少なくとも１つの測定オブジェクトにさらに基づく、
Ｃ３に記載の方法。
［Ｃ７］
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、Ｃ３に記載の方法。
［Ｃ８］
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、Ｃ６に記載の方法。
［Ｃ９］
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、Ｃ３に記載の方法。
［Ｃ１０］
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、Ｃ６に記載の方法。
［Ｃ１１］
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、Ｃ７に記載の方法。
［Ｃ１２］
前記ブロードキャストされたシステム情報は、システム情報ブロック５（ＳＩＢ５）からのデータを備え、前記履歴情報は、前記ＵＥによって維持される前のサービングセルのキャッシュを備える、Ｃ３に記載の方法。
［Ｃ１３］
前記少なくとも１つの測定オブジェクトは、システム情報ブロック６（ＳＩＢ６）または前記ＵＥによって維持される前のサービングセルのキャッシュのうちの少なくとも１つからのデータに対応する広帯域符号分割多元接続（ＷＣＤＭＡ）測定オブジェクトを備える、Ｃ６に記載の方法。
［Ｃ１４］
前記少なくとも１つの測定オブジェクトは、１から３２までの絶対無線周波数チャネル番号（ＡＲＦＣＮ）カウントから識別された複数のＧＳＭ測定オブジェクトを備える、Ｃ６に記載の方法。
［Ｃ１５］
前記少なくとも１つの測定オブジェクトは、システム情報ブロック８（ＳＩＢ８）または前記ＵＥによって維持される前のサービングセルのキャッシュのうちの少なくとも１つからのデータに対応するＣＤＭＡ測定オブジェクトを備える、Ｃ６に記載の方法。
［Ｃ１６］
前記少なくとも１つのワイヤレスサービングセルは、プライマリセルまたはセカンダリセルのうちの少なくとも１つを備える、Ｃ３に記載の方法。
［Ｃ１７］
前記少なくとも１つのワイヤレス非サービングセルは、イントラ周波数ネイバーまたはインター周波数ネイバーのうちの少なくとも１つを備える、Ｃ１に記載の方法。
［Ｃ１８］
前記１つまたは複数の候補非ＬＴＥセルは、ＷＣＤＭＡネイバー、ＧＳＭネイバー、またはＣＤＭＡネイバーのうちの少なくとも１つを備える、Ｃ６に記載の方法。
［Ｃ１９］
前記測定オブジェクト識別子に対応する前記少なくとも１つの測定オブジェクトの各々は、前記複数の測定オブジェクトの合計カウントが所定の数に達するまで識別される、Ｃ９に記載の方法。
［Ｃ２０］
ワイヤレス通信のための装置であって、
メモリと、
前記メモリに結合された少なくとも１つのプロセッサとを備え、前記少なくとも１つのプロセッサは、
少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
を行うように構成される、装置。
［Ｃ２１］
前記プロセッサは、
前記選択された少なくとも１つのワイヤレスサービングおよび非サービングセルに関連付けられたチャネル条件を決定する際の使用のために、ネットワーク要素に前記少なくとも１つの測定された値を送信するようにさらに構成される、Ｃ２０に記載の装置。
［Ｃ２２］
前記ワイヤレスサービングセルは、ロングタームエボリューション（ＬＴＥ）セルを備え、前記装置は、無線リソース制御（ＲＲＣ）接続モードで構成されている、Ｃ２０に記載の装置。
［Ｃ２３］
前記履歴情報は、獲得データベースにおいてローカルに記憶される、Ｃ２２に記載の装置。
［Ｃ２４］
前記少なくとも１つのワイヤレスサービングセルを選択することは、キャリアアグリゲーション（ＣＡ）が有効にされるかどうかを決定することを備える、Ｃ２２に記載の装置。
［Ｃ２５］
前記少なくとも１つのプロセッサは、
前記装置が１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するようにさらに構成され、
ここにおいて、前記ワイヤレス測定を前記行うことは、前記少なくとも１つの測定オブジェクトにさらに基づく、
Ｃ２２に記載の装置。
［Ｃ２６］
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
Ｃ２２に記載の装置。
［Ｃ２７］
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
Ｃ２５に記載の装置。
［Ｃ２８］
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
Ｃ２２に記載の装置。
［Ｃ２９］
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
Ｃ２５に記載の装置。
［Ｃ３０］
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
Ｃ２７に記載の装置。
［Ｃ３１］
前記ブロードキャストされたシステム情報は、システム情報ブロック５（ＳＩＢ５）からのデータを備え、前記履歴情報は、前のサービングセルのローカルキャッシュを備える、Ｃ２２に記載の装置。
［Ｃ３２］
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、Ｃ２５に記載の装置。
［Ｃ３３］
前記少なくとも１つの測定オブジェクトは、１から３２までの絶対無線周波数チャネル番号（ＡＲＦＣＮ）カウントから識別された複数のＧＳＭ測定オブジェクトを備える、Ｃ２５に記載の装置。
［Ｃ３４］
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、Ｃ２５に記載の装置。
［Ｃ３５］
前記少なくとも１つのワイヤレスサービングセルは、プライマリセルまたはセカンダリセルのうちの少なくとも１つを備える、Ｃ２０に記載の装置。
［Ｃ３６］
前記少なくとも１つのワイヤレス非サービングセルは、イントラ周波数ネイバーまたはインター周波数ネイバーのうちの少なくとも１つを備える、Ｃ２０に記載の装置。
［Ｃ３７］
前記１つまたは複数の候補非ＬＴＥセルは、ＷＣＤＭＡネイバー、ＧＳＭネイバー、またはＣＤＭＡネイバーのうちの少なくとも１つを備える、Ｃ２５に記載の装置。
［Ｃ３８］
前記測定オブジェクト識別子に対応する前記少なくとも１つの測定オブジェクトの各々は、前記複数の測定オブジェクトの合計カウントが所定の数に達するまで識別される、Ｃ２８に記載の装置。
［Ｃ３９］
ワイヤレス通信のための装置であって、
無線リソース制御（ＲＲＣ）接続モードで、少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始するための手段と、前記データソースは、少なくとも１つの前のサービングセルに関する履歴情報、およびブロードキャストされたシステム情報を備える、
前記選択された少なくとも１つのワイヤレスサービングおよび非サービングセルに対応する複数の測定オブジェクトを識別するための手段と、
少なくとも１つの測定された値を作り出すために、前記選択された少なくとも１つのワイヤレスサービングおよび非サービングセル、ならびに前記識別された測定オブジェクトに基づいて、ワイヤレス測定を行うための手段と、
を備える、装置。
［Ｃ４０］
前記選択された少なくとも１つのワイヤレスサービングおよび非サービングセルに関連付けられたチャネル条件を決定する際の使用のために、基地局に前記少なくとも１つの測定された値を送信するための手段をさらに備える、Ｃ３９に記載の装置。
［Ｃ４１］
前記少なくとも１つのワイヤレスサービングセルは、ロングタームエボリューション（ＬＴＥ）セルを備える、Ｃ３９に記載の装置。
［Ｃ４２］
ワイヤレス通信のためのコンピュータ実行可能コードを記憶する非一時的コンピュータ可読媒体であって、
少なくとも１つのワイヤレスサービングセルを選択すること、およびデータソースに基づいて少なくとも１つのワイヤレス非サービングセルを選択することを備える、あり得るセル再構成に関する１つまたは複数の候補周波数のプルーニングを開始することと、前記データソースは、ブロードキャストされたシステム情報、および少なくとも１つの前のサービングセルに関する履歴情報を備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
のためのコードを備える、非一時的なコンピュータ可読媒体。
［Ｃ４３］
前記選択された少なくとも１つのワイヤレスサービングおよび非サービングセルに関連付けられたチャネル条件を決定する際の使用のために、ネットワーク要素に前記少なくとも１つの測定された値を送信するためのコードをさらに備える、Ｃ４２に記載のコンピュータ可読媒体。
［Ｃ４４］
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでのユーザ機器（ＵＥ）によって行われる、
Ｃ４２に記載のコンピュータ可読媒体。
［Ｃ４５］
前記少なくとも１つのワイヤレスサービングセルを前記選択することは、キャリアアグリゲーション（ＣＡ）が有効にされるかどうかを決定することを備える、Ｃ４４に記載のコンピュータ可読媒体。
［Ｃ４６］
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するためのコードをさらに備え、
ここにおいて、前記ワイヤレス測定を前記行うことは、前記少なくとも１つの測定オブジェクトにさらに基づく、
Ｃ４４に記載のコンピュータ可読媒体。
［Ｃ４７］
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
のためのコードをさらに備える、Ｃ４４に記載のコンピュータ可読媒体。
［Ｃ４８］
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
のためのコードをさらに備える、Ｃ４４に記載のコンピュータ可読媒体。
［Ｃ４９］
前記ブロードキャストされたシステム情報は、システム情報ブロック５（ＳＩＢ５）からのデータを備え、前記履歴情報は、前記ＵＥによって維持される前のサービングセルのキャッシュを備える、Ｃ４４に記載のコンピュータ可読媒体。
［Ｃ５０］
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、Ｃ４６に記載のコンピュータ可読媒体。
［Ｃ５１］
前記少なくとも１つの測定オブジェクトは、システム情報ブロック７（ＳＩＢ７）または前記ＵＥによって維持される前のサービングセルのキャッシュにおいて見つけられる、１から３２までの絶対無線周波数チャネル番号（ＡＲＦＣＮ）カウントから識別された複数のＧＳＭ測定オブジェクトを備える、Ｃ４６に記載のコンピュータ可読媒体。
［Ｃ５２］
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、Ｃ４６に記載のコンピュータ可読媒体。
［Ｃ５３］
前記１つまたは複数の候補非ＬＴＥセルは、ＷＣＤＭＡネイバー、ＧＳＭネイバー、またはＣＤＭＡネイバーのうちの少なくとも１つを備える、Ｃ４６に記載のコンピュータ可読媒体。
［Ｃ５４］
ユーザ機器であって、
処理システムを備え、前記処理システムは、
ブロードキャストされたシステム情報およびローカル履歴情報の検討に基づいて、少なくとも１つのＬＴＥ非サービングセルに対応する複数のＬＴＥ測定オブジェクトを識別し、
前記識別された測定オブジェクトに対応する測定を行い、
ネットワーク要素に、前記識別された測定オブジェクトに対応する測定結果を送信する、
ように構成される、ユーザ機器。
［Ｃ５５］
前記複数のＬＴＥ測定オブジェクトを前記識別することは、無線リソース制御（ＲＲＣ）接続モードで行われる、Ｃ５４に記載のユーザ機器。
［Ｃ５６］
前記ブロードキャストされたシステム情報は、システム情報ブロック（ＳＩＢ）における情報を備える、Ｃ５４に記載のユーザ機器。
［Ｃ５７］
前記少なくとも１つのＬＴＥ非サービングセルに対応する前記測定オブジェクトのうちの少なくとも１つは、前記ローカル履歴情報に基づいて識別される、Ｃ５４に記載のユーザ機器。
［Ｃ５８］
前記処理システムは、少なくとも１つの非ＬＴＥセルに対応する１つまたは複数の測定オブジェクトを識別するようにさらに構成される、Ｃ５４に記載のユーザ機器。
［Ｃ５９］
前記少なくとも１つの非ＬＴＥセルに対応する前記１つまたは複数の測定オブジェクトは、前記ブロードキャストされたシステム情報に基づいて識別される、Ｃ５８に記載のユーザ機器。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも１つのワイヤレスサービングセルを選択すること、およびデータソースに基づいて少なくとも１つのワイヤレス非サービングセルを選択することを備える、セル再構成に応答して、ユーザ機器（ＵＥ）が、１つまたは複数の候補周波数のプルーニングを開始することと、前記データソースは、ブロードキャストされたシステム情報、および少なくとも１つの前のサービングセルに関する履歴情報のローカルキャッシュを備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
備える、方法。
【請求項２】
前記選択された少なくとも１つのワイヤレスサービングおよび非サービングセルに関連付けられたチャネル条件を決定する際の使用のために、ネットワーク要素に前記少なくとも１つの測定された値を送信することをさらに備える、請求項１に記載の方法。
【請求項３】
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでの前記ユーザ機器（ＵＥ）によって行われる、
請求項１に記載の方法。
【請求項４】
前記履歴情報は、獲得データベースにおいてローカルに記憶される、請求項３に記載の方法。
【請求項５】
前記少なくとも１つのワイヤレスサービングセルを前記選択することは、キャリアアグリゲーション（ＣＡ）が有効にされるかどうかを決定することを備える、請求項３に記載の方法。
【請求項６】
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別すること、をさらに備え、
ここにおいて、前記ワイヤレス測定を前記行うことは、前記少なくとも１つの測定オブジェクトにさらに基づく、
請求項３に記載の方法。
【請求項７】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、請求項３に記載の方法。
【請求項８】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
をさらに備える、請求項６に記載の方法。
【請求項９】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項３に記載の方法。
【請求項１０】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項６に記載の方法。
【請求項１１】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
をさらに備える、請求項７に記載の方法。
【請求項１２】
前記ブロードキャストされたシステム情報は、システム情報ブロック５（ＳＩＢ５）からのデータを備え、前記履歴情報は、前記ＵＥによって維持される前のサービングセルのキャッシュを備える、請求項３に記載の方法。
【請求項１３】
前記少なくとも１つの測定オブジェクトは、システム情報ブロック６（ＳＩＢ６）または前記ＵＥによって維持される前のサービングセルのキャッシュのうちの少なくとも１つからのデータに対応する広帯域符号分割多元接続（ＷＣＤＭＡ）測定オブジェクトを備える、請求項６に記載の方法。
【請求項１４】
前記少なくとも１つの測定オブジェクトは、１から３２までの絶対無線周波数チャネル番号（ＡＲＦＣＮ）カウントから識別された複数のＧＳＭ測定オブジェクトを備える、請求項６に記載の方法。
【請求項１５】
前記少なくとも１つの測定オブジェクトは、システム情報ブロック８（ＳＩＢ８）または前記ＵＥによって維持される前のサービングセルのキャッシュのうちの少なくとも１つからのデータに対応するＣＤＭＡ測定オブジェクトを備える、請求項６に記載の方法。
【請求項１６】
前記少なくとも１つのワイヤレスサービングセルは、プライマリセルまたはセカンダリセルのうちの少なくとも１つを備える、請求項３に記載の方法。
【請求項１７】
前記少なくとも１つのワイヤレス非サービングセルは、イントラ周波数ネイバーまたはインター周波数ネイバーのうちの少なくとも１つを備える、請求項１に記載の方法。
【請求項１８】
前記１つまたは複数の候補非ＬＴＥセルは、ＷＣＤＭＡネイバー、ＧＳＭネイバー、またはＣＤＭＡネイバーのうちの少なくとも１つを備える、請求項６に記載の方法。
【請求項１９】
前記測定オブジェクト識別子に対応する前記少なくとも１つの測定オブジェクトの各々は、前記複数の測定オブジェクトの合計カウントが所定の数に達するまで識別される、請求項９に記載の方法。
【請求項２０】
ワイヤレス通信のための装置であって、
メモリと、
前記メモリに結合された少なくとも１つのプロセッサとを備え、前記少なくとも１つのプロセッサは、
少なくとも１つのワイヤレスサービングセルを選択すること、およびデータソースに基づいて少なくとも１つのワイヤレス非サービングセルを選択することを備える、セル再構成に応答して、ユーザ機器（ＵＥ）において、１つまたは複数の候補周波数のプルーニングを開始することと、前記データソースは、ブロードキャストされたシステム情報、および少なくとも１つの前のサービングセルに関する履歴情報のローカルキャッシュを備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
を行うように構成される、装置。
【請求項２１】
前記プロセッサは、
前記選択された少なくとも１つのワイヤレスサービングおよび非サービングセルに関連付けられたチャネル条件を決定する際の使用のために、ネットワーク要素に前記少なくとも１つの測定された値を送信するようにさらに構成される、請求項２０に記載の装置。
【請求項２２】
前記ワイヤレスサービングセルは、ロングタームエボリューション（ＬＴＥ）セルを備え、前記装置は、無線リソース制御（ＲＲＣ）接続モードで構成されている、請求項２０に記載の装置。
【請求項２３】
前記履歴情報は、獲得データベースにおいてローカルに記憶される、請求項２２に記載の装置。
【請求項２４】
前記少なくとも１つのワイヤレスサービングセルを選択することは、キャリアアグリゲーション（ＣＡ）が有効にされるかどうかを決定することを備える、請求項２２に記載の装置。
【請求項２５】
前記少なくとも１つのプロセッサは、
前記装置が１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するようにさらに構成され、
ここにおいて、前記ワイヤレス測定を前記行うことは、前記少なくとも１つの測定オブジェクトにさらに基づく、
請求項２２に記載の装置。
【請求項２６】
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
請求項２２に記載の装置。
【請求項２７】
前記少なくとも１つのプロセッサは、
ＬＴＥダウンリンク（ＤＬ）専用チャネルに対応する少なくとも１つの測定オブジェクトを識別するようにさらに構成され、
ここにおいて、前記ワイヤレス測定を前記行うことは、前記ＬＴＥ  ＤＬ専用チャネルに対応する前記少なくとも１つの測定オブジェクトにさらに基づく、
請求項２５に記載の装置。
【請求項２８】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２２に記載の装置。
【請求項２９】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２５に記載の装置。
【請求項３０】
前記少なくとも１つのプロセッサは、
測定オブジェクト識別子に対応する少なくとも１つの測定オブジェクトを識別するようにさらに構成され、
ここにおいて、前記ワイヤレス測定を前記行うことは、前記測定オブジェクト識別子に対応する前記少なくとも１つの測定オブジェクトにさらに基づく、
請求項２７に記載の装置。
【請求項３１】
前記ブロードキャストされたシステム情報は、システム情報ブロック５（ＳＩＢ５）からのデータを備え、前記履歴情報は、前のサービングセルのローカルキャッシュを備える、請求項２２に記載の装置。
【請求項３２】
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、請求項２５に記載の装置。
【請求項３３】
前記少なくとも１つの測定オブジェクトは、１から３２までの絶対無線周波数チャネル番号（ＡＲＦＣＮ）カウントから識別された複数のＧＳＭ測定オブジェクトを備える、請求項２５に記載の装置。
【請求項３４】
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、請求項２５に記載の装置。
【請求項３５】
前記少なくとも１つのワイヤレスサービングセルは、プライマリセルまたはセカンダリセルのうちの少なくとも１つを備える、請求項２０に記載の装置。
【請求項３６】
前記少なくとも１つのワイヤレス非サービングセルは、イントラ周波数ネイバーまたはインター周波数ネイバーのうちの少なくとも１つを備える、請求項２０に記載の装置。
【請求項３７】
前記１つまたは複数の候補非ＬＴＥセルは、ＷＣＤＭＡネイバー、ＧＳＭネイバー、またはＣＤＭＡネイバーのうちの少なくとも１つを備える、請求項２５に記載の装置。
【請求項３８】
前記測定オブジェクト識別子に対応する前記少なくとも１つの測定オブジェクトの各々は、前記複数の測定オブジェクトの合計カウントが所定の数に達するまで識別される、請求項２８に記載の装置。
【請求項３９】
ワイヤレス通信のための装置であって、
無線リソース制御（ＲＲＣ）接続モードで、少なくとも１つのワイヤレスサービングセルを選択すること、およびデータソースに基づいて少なくとも１つのワイヤレス非サービングセルを選択することを備える、セル再構成に応答して、ユーザ機器（ＵＥ）が、１つまたは複数の候補周波数のプルーニングを開始するための手段と、前記データソースは、少なくとも１つの前のサービングセルに関する履歴情報のローカルキャッシュ、およびブロードキャストされたシステム情報を備える、
前記選択された少なくとも１つのワイヤレスサービングおよび非サービングセルに対応する複数の測定オブジェクトを識別するための手段と、
少なくとも１つの測定された値を作り出すために、前記選択された少なくとも１つのワイヤレスサービングおよび非サービングセル、ならびに前記識別された測定オブジェクトに基づいて、ワイヤレス測定を行うための手段と、
を備える、装置。
【請求項４０】
前記選択された少なくとも１つのワイヤレスサービングおよび非サービングセルに関連付けられたチャネル条件を決定する際の使用のために、基地局に前記少なくとも１つの測定された値を送信するための手段をさらに備える、請求項３９に記載の装置。
【請求項４１】
前記少なくとも１つのワイヤレスサービングセルは、ロングタームエボリューション（ＬＴＥ）セルを備える、請求項３９に記載の装置。
【請求項４２】
ワイヤレス通信のためのコンピュータ実行可能コードを記憶する非一時的コンピュータ可読媒体であって、
少なくとも１つのワイヤレスサービングセルを選択すること、およびデータソースに基づいて少なくとも１つのワイヤレス非サービングセルを選択することを備える、セル再構成メッセージに応答して、ユーザ機器（ＵＥ）が、１つまたは複数の候補周波数のプルーニングを開始することと、前記データソースは、ブロードキャストされたシステム情報、および少なくとも１つの前のサービングセルに関する履歴情報のローカルキャッシュを備える、
前記選択された少なくとも１つのワイヤレスサービングおよび非サービングセルに対応する複数の測定オブジェクトを識別することと、
少なくとも１つの測定された値を作り出すために、前記選択された少なくとも１つのワイヤレスサービングおよび非サービングセル、ならびに前記識別された測定オブジェクトに基づいて、ワイヤレス測定を行うことと、
のためのコードを備える、非一時的なコンピュータ可読媒体。
【請求項４３】
前記選択された少なくとも１つのワイヤレスサービングおよび非サービングセルに関連付けられたチャネル条件を決定する際の使用のために、ネットワーク要素に前記少なくとも１つの測定された値を送信するためのコードをさらに備える、請求項４２に記載のコンピュータ可読媒体。
【請求項４４】
前記ワイヤレスサービングセルは、ロングタームエボリューション（ＬＴＥ）セルを備え、
前記少なくとも１つのワイヤレスサービングおよび非サービングセルを前記選択すること、前記識別すること、前記行うこと、ならびに前記送信することは、無線リソース制御（ＲＲＣ）接続モードでの前記ユーザ機器（ＵＥ）によって行われる、
請求項４２に記載のコンピュータ可読媒体。
【請求項４５】
前記少なくとも１つのワイヤレスサービングセルを前記選択することは、キャリアアグリゲーション（ＣＡ）が有効にされるかどうかを決定することを備える、請求項４４に記載のコンピュータ可読媒体。
【請求項４６】
前記ＵＥが１つまたは複数の候補非ＬＴＥセルによって提供されるタイプのワイヤレスサービスを獲得するように構成されるという決定に応答して、前記１つまたは複数の候補非ＬＴＥセルの各々に対応する少なくとも１つの測定オブジェクトを識別するためのコードをさらに備え、
ここにおいて、前記ワイヤレス測定を前記行うことは、前記少なくとも１つの測定オブジェクトにさらに基づく、
請求項４４に記載のコンピュータ可読媒体。
【請求項４７】
ＬＴＥダウンリンク（ＤＬ）専用チャネルに対応する少なくとも１つの測定オブジェクトを識別すること、ここにおいて、前記ワイヤレス測定を前記行うことは、前記ＬＴＥ  ＤＬ専用チャネルに対応する前記少なくとも１つの測定オブジェクトにさらに基づく、
のためのコードをさらに備える、請求項４４に記載のコンピュータ可読媒体。
【請求項４８】
測定オブジェクト識別子に対応する少なくとも１つの測定オブジェクトを識別すること、ここにおいて、前記ワイヤレス測定を前記行うことは、前記測定オブジェクト識別子に対応する前記少なくとも１つの測定オブジェクトにさらに基づく、
のためのコードをさらに備える、請求項４４に記載のコンピュータ可読媒体。
【請求項４９】
前記ブロードキャストされたシステム情報は、システム情報ブロック５（ＳＩＢ５）からのデータを備え、前記履歴情報は、前記ＵＥによって維持される前のサービングセルのキャッシュを備える、請求項４４に記載のコンピュータ可読媒体。
【請求項５０】
前記少なくとも１つの測定オブジェクトは、システム情報ブロック６（ＳＩＢ６）または前のサービングセルのローカルキャッシュのうちの少なくとも１つからのデータに対応する広帯域符号分割多元接続（ＷＣＤＭＡ）測定オブジェクトを備える、請求項４６に記載のコンピュータ可読媒体。
【請求項５１】
前記少なくとも１つの測定オブジェクトは、システム情報ブロック７（ＳＩＢ７）または前記ＵＥによって維持される前のサービングセルのキャッシュにおいて見つけられる、１から３２までの絶対無線周波数チャネル番号（ＡＲＦＣＮ）カウントから識別された複数のＧＳＭ測定オブジェクトを備える、請求項４６に記載のコンピュータ可読媒体。
【請求項５２】
前記少なくとも１つの測定オブジェクトは、システム情報ブロック８（ＳＩＢ８）または前のサービングセルのローカルキャッシュのうちの少なくとも１つからのデータに対応するＣＤＭＡ測定オブジェクトを備える、請求項４６に記載のコンピュータ可読媒体。
【請求項５３】
前記１つまたは複数の候補非ＬＴＥセルは、ＷＣＤＭＡネイバー、ＧＳＭネイバー、またはＣＤＭＡネイバーのうちの少なくとも１つを備える、請求項４６に記載のコンピュータ可読媒体。
【請求項５４】
ユーザ機器であって、
処理システムを備え、前記処理システムは、
セル再構成に応答して、ブロードキャストされたシステム情報および履歴情報のローカルキャッシュの検討に基づいて、少なくとも１つのＬＴＥ非サービングセルに対応する複数のＬＴＥ測定オブジェクトを識別し、
前記識別された測定オブジェクトに対応する測定を行い、
ネットワーク要素に、前記識別された測定オブジェクトに対応する測定結果を送信する、
ように構成される、ユーザ機器。
【請求項５５】
前記複数のＬＴＥ測定オブジェクトを前記識別することは、無線リソース制御（ＲＲＣ）接続モードで行われる、請求項５４に記載のユーザ機器。
【請求項５６】
前記ブロードキャストされたシステム情報は、システム情報ブロック（ＳＩＢ）における情報を備える、請求項５４に記載のユーザ機器。
【請求項５７】
前記少なくとも１つのＬＴＥ非サービングセルに対応する前記測定オブジェクトのうちの少なくとも１つは、前記ローカル履歴情報に基づいて識別される、請求項５４に記載のユーザ機器。
【請求項５８】
前記処理システムは、少なくとも１つの非ＬＴＥセルに対応する１つまたは複数の測定オブジェクトを識別するようにさらに構成される、請求項５４に記載のユーザ機器。
【請求項５９】
前記少なくとも１つの非ＬＴＥセルに対応する前記１つまたは複数の測定オブジェクトは、前記ブロードキャストされたシステム情報に基づいて識別される、請求項５８に記載のユーザ機器。
【国際調査報告】
2018507647.tif 000018
2018507647.tif 000019
2018507647.tif 000020